(57)【特許請求の範囲】
【請求項１】
被測定光を受光可能に配設されて受光量に応じた第１の検出信号を出力する第１の光電変換部を有する第１の受光センサと、前記被測定光を受光可能に配設されて受光量に応じた第２の検出信号を出力する第２の光電変換部を有する第２の受光センサとを備えたＮ個（Ｎは、２以上の自然数）の受光部、並びに当該各受光部毎に予め規定された互いに相違するＮ種類の測定対象波長範囲内の波長の前記被測定光の光量を前記各検出信号に基づいてそれぞれ測定する処理部を備え、
前記各受光部は、前記両光電変換部に対する前記被測定光の入射を許容する入射許容波長範囲がそれぞれ規定されて当該入射許容波長範囲内に前記測定対象波長範囲がそれぞれ規定されると共に、当該各受光部毎の前記第１の受光センサの分光感度と前記第２の受光センサの分光感度との比が当該入射許容波長範囲内の各波長の前記被測定光毎に相違するように構成され、かつ当該入射許容波長範囲内の前記被測定光の当該両光電変換部に対する入射を許容しつつ、当該入射許容波長範囲よりも短い波長の短波長側入射規制波長範囲および当該入射許容波長範囲よりも長い波長の長波長側入射規制波長範囲の両入射規制波長範囲内の波長の前記被測定光の前記両光電変換部に対する入射を規制する第１の光学フィルタをそれぞれ備え、
前記各第１の光学フィルタは、他の当該第１の光学フィルタが配設された前記受光部に対して規定されている（Ｎ−１）個の前記測定対象波長範囲が前記両入射規制波長範囲のいずれかに含まれるようにそれぞれ構成されると共に、前記各測定対象波長範囲のうちの波長が短い順でＭ番目（Ｍは、（Ｎ−１）以下の各自然数）の当該測定対象波長範囲が規定された前記受光部の前記入射許容波長範囲の一部と、当該各測定対象波長範囲のうちの波長が短い順で（Ｍ＋１）番目の当該測定対象波長範囲が規定された前記受光部の前記入射許容波長範囲の一部とが重なるように当該各受光部毎の前記両入射規制波長範囲がそれぞれ規定され、
前記処理部は、前記各検出信号に基づいて前記被測定光の波長および光量を測定し、予め規定された光量以上で前記各測定対象波長範囲以外の波長の当該被測定光が測定されたときに予め規定された第１の処理を実行する光量測定装置。
【請求項２】
被測定光を受光可能に配設されて受光量に応じた第１の検出信号を出力する第１の光電変換部を有する第１の受光センサと、前記被測定光を受光可能に配設されて受光量に応じた第２の検出信号を出力する第２の光電変換部を有する第２の受光センサとを備えたＮ個（Ｎは、２以上の自然数）の受光部、並びに当該各受光部毎に予め規定された互いに相違するＮ種類の測定対象波長範囲内の波長の前記被測定光の光量を前記各検出信号に基づいてそれぞれ測定する処理部を備え、
前記各受光部は、前記両光電変換部に対する前記被測定光の入射を許容する入射許容波長範囲がそれぞれ規定されて当該入射許容波長範囲内に前記測定対象波長範囲がそれぞれ規定されると共に、当該各受光部毎の前記第１の受光センサの分光感度と前記第２の受光センサの分光感度との比が当該入射許容波長範囲内の各波長の前記被測定光毎に相違するように構成され、かつ当該入射許容波長範囲内の前記被測定光の当該両光電変換部に対する入射を許容しつつ、当該入射許容波長範囲よりも短い波長の短波長側入射規制波長範囲および当該入射許容波長範囲よりも長い波長の長波長側入射規制波長範囲の両入射規制波長範囲内の波長の前記被測定光の前記両光電変換部に対する入射を規制する第１の光学フィルタをそれぞれ備え、
前記各第１の光学フィルタは、他の当該第１の光学フィルタが配設された前記受光部に対して規定されている（Ｎ−１）個の前記測定対象波長範囲が前記両入射規制波長範囲のいずれかに含まれるようにそれぞれ構成され、
前記被測定光を受光可能に配設されて前記各測定対象波長範囲のうちで最も短い波長の当該測定対象波長範囲よりも短い第１の波長から当該各測定対象波長範囲のうちで最も長い波長の当該測定対象波長範囲よりも長い第２の波長までの各波長の当該被測定光を受光可能に配設されて当該被測定光の受光量に応じた第３の検出信号を出力する第３の光電変換部を備え、
前記処理部は、前記各受光部からの前記各検出信号に基づいて当該各受光部に入射している前記各測定対象波長範囲内の波長の前記被測定光が前記第３の光電変換部に入射したときに当該第３の光電変換部から出力される前記第３の検出信号の予測値を演算し、当該第３の検出信号から出力された前記第３の検出信号の値と前記予測値とが相違するときに予め規定された第２の処理を実行する光量測定装置。
【請求項３】
被測定光を受光可能に配設されて受光量に応じた第１の検出信号を出力する第１の光電変換部を有する第１の受光センサと、前記被測定光を受光可能に配設されて受光量に応じた第２の検出信号を出力する第２の光電変換部を有する第２の受光センサとを備えたＮ個（Ｎは、２以上の自然数）の受光部、並びに当該各受光部毎に予め規定された互いに相違するＮ種類の測定対象波長範囲内の波長の前記被測定光の光量を前記各検出信号に基づいてそれぞれ測定する処理部を備え、
前記各受光部は、前記両光電変換部に対する前記被測定光の入射を許容する入射許容波長範囲がそれぞれ規定されて当該入射許容波長範囲内に前記測定対象波長範囲がそれぞれ規定されると共に、当該各受光部毎の前記第１の受光センサの分光感度と前記第２の受光センサの分光感度との比が当該入射許容波長範囲内の各波長の前記被測定光毎に相違するように構成され、かつ当該入射許容波長範囲内の前記被測定光の当該両光電変換部に対する入射を許容しつつ、当該入射許容波長範囲よりも短い波長の短波長側入射規制波長範囲および当該入射許容波長範囲よりも長い波長の長波長側入射規制波長範囲の両入射規制波長範囲内の波長の前記被測定光の前記両光電変換部に対する入射を規制する第１の光学フィルタをそれぞれ備え、
前記各第１の光学フィルタは、他の当該第１の光学フィルタが配設された前記受光部に対して規定されている（Ｎ−１）個の前記測定対象波長範囲が前記両入射規制波長範囲のいずれかに含まれるようにそれぞれ構成され、
前記各測定対象波長範囲のうちで最も短い波長の当該測定対象波長範囲よりも短い第１の波長から当該各測定対象波長範囲のうちで最も長い波長の当該測定対象波長範囲よりも長い第２の波長までの各波長の前記被測定光を対象とする波長および光量の特定が可能なポリクロメータを備え、
前記処理部は、前記ポリクロメータからの出力信号に基づき、前記各測定対象波長範囲以外の波長で、かつ予め規定された光量以上の前記被測定光が当該ポリクロメータに入射しているか否かを判別し、当該被測定光が当該ポリクロメータに入射しているときに予め規定された第３の処理を実行する光量測定装置。
【請求項４】
前記各第１の光学フィルタは、前記各測定対象波長範囲のうちの波長が短い順でＭ番目（Ｍは、（Ｎ−１）以下の各自然数）の当該測定対象波長範囲が規定された前記受光部の前記入射許容波長範囲と、当該各測定対象波長範囲のうちの波長が短い順で（Ｍ＋１）番目の当該測定対象波長範囲が規定された前記受光部に対して規定された前記入射許容波長範囲とが重ならないように当該各受光部毎の前記両入射規制波長範囲がそれぞれ規定されている請求項２または３記載の光量測定装置。
【請求項５】
前記各受光部は、前記第１の受光センサおよび前記第２の受光センサの少なくとも一方が前記第１の光電変換部または前記第２の光電変換部に対する前記被測定光の入射量を制限する第２の光学フィルタを備えて当該各受光部毎の前記両分光感度の比が前記入射許容波長範囲内の各波長の前記被測定光毎に相違するように構成されている請求項１から４のいずれかに記載の光量測定装置。
【請求項６】
前記処理部は、前記第１の検出信号の信号レベル、および前記第２の検出信号の信号レベルのいずれか一方に対する他方の比に基づいて前記被測定光の波長を特定すると共に、特定した波長と、前記前記第１の検出信号の信号レベルおよび前記前記第２の検出信号の信号レベルのいずれか一方とに基づいて前記被測定光の光量を測定する請求項１から５のいずれかに記載の光量測定装置。
【請求項７】
前記処理部は、前記第１の受光センサおよび前記第２の受光センサのうち、特定した波長の前記被測定光の分光感度が高い一方から出力された前記検出信号の信号レベルに基づいて当該被測定光の光量を測定する請求項６記載の光量測定装置。
【請求項８】
前記処理部は、前記第１の検出信号の信号レベルに基づいて測定した前記被測定光の第１の光量と、前記第２の検出信号の信号レベルに基づいて測定した当該被測定光の第２の光量との平均値を当該被測定光の光量として測定する請求項１から５のいずれかに記載の光量測定装置。
【請求項９】
前記各受光部は、前記第１の受光センサの分光感度特性が長い波長の光ほど感度が高くなり、かつ前記第２の受光センサの分光感度特性が短い波長の光ほど感度が高くなるように構成されている請求項１から８のいずれかに記載の光量測定装置。
【発明の詳細な説明】
【技術分野】
【０００１】
本発明は、波長が相違する複数種類の被測定光の光量をそれぞれ測定可能に構成された光量測定装置に関するものである。
【背景技術】
【０００２】
この種の光量測定装置として、被測定光の輝度（光量）、および最大光量が検出された波長（以下、「ピーク光量波長」ともいう）を特定可能な装置（以下、「光量測定装置」ともいう）が下記の特許文献に開示されている。この光量測定装置は、例えば照明機器等の人工光源から発せられる被測定光を対象として、赤波長部分（赤色波長範囲）、緑波長部分（緑色波長範囲）および青波長部分（青色波長範囲）の３つの波長範囲毎の光量およびピーク光量波長をそれぞれ特定する（測定する）ことができるように構成されている。具体的には、この光量測定装置は、被測定光を検出するための各波長範囲毎の感知ユニットと、各感知ユニットからの出力信号に応じて光量およびピーク光量波長を特定する処理システムとを備えている。また、各感知ユニットは、一対の広帯域光センサ（光検出器）およびフィルタ（光学フィルタ）を備えてそれぞれ構成されている。
【０００３】
この場合、この光量測定装置では、赤色波長範囲用の感知ユニット（以下、「赤色用ユニット」ともいう）の赤色光についての感度が十分に高くなり、かつ緑色光や青色光についての感度が十分に低くなるように赤色用ユニットの光学フィルタが構成されている。この結果、赤色用ユニットの両広帯域光センサの分光感度特性が、図６に一点鎖線Ｌｒａｘおよび二点鎖線Ｌｒｂｘで示すようになっている。また、この光量測定装置では、緑色波長範囲用の感知ユニット（以下、「緑色用ユニット」ともいう）の緑色光についての感度が十分に高くなり、かつ赤色光や青色光についての感度が十分に低くなるように緑色用ユニットの光学フィルタが構成されている。この結果、緑色用ユニットの両広帯域光センサの分光感度特性が、一点鎖線Ｌｇａｘおよび二点鎖線Ｌｇｂｘで示すようになっている。
【０００４】
さらに、この光量測定装置では、青色波長範囲用の感知ユニット（以下、「青色用ユニット」ともいう）の青色光についての感度が十分に高くなり、かつ赤色光や緑色光についての感度が十分に低くなるように青色用ユニットの光学フィルタが構成されている。この結果、青色用ユニットの両広帯域光センサの分光感度特性が、一点鎖線Ｌｂａｘおよび二点鎖線Ｌｂｂｘで示すようになっている。これにより、この光量測定装置では、前述した処理システムが、赤色用ユニットからの出力信号に基づいて赤色波長範囲内の波長の被測定光（赤色光）の光量およびピーク光量波長を特定し、緑色用ユニットからの出力信号に基づいて緑色波長範囲内の波長の被測定光（緑色光）の光量およびピーク光量波長を特定し、かつ青色用ユニットからの出力信号に基づいて青色波長範囲内の波長の被測定光（青色光）の光量およびピーク光量波長を特定することが可能となっている。
【先行技術文献】
【特許文献】
【０００５】
【特許文献１】特表２００９−５４４０１７号公報（第５−２０頁、第１−１３図）
【発明の概要】
【発明が解決しようとする課題】
【０００６】
ところが、従来の光量測定装置には、以下の解決すべき課題が存在する。すなわち、従来の光量測定装置では、各感知ユニット毎に、検出対象とする波長範囲内の被測定光についての感度が高くなり、かつ他の感知ユニットによって検出すべき波長範囲内の被測定光についての感度が低くなるように構成した光学フィルタを備えている。しかしながら、従来の光量測定装置では、赤色用ユニットの緑色光や青色光についての感度が「０」ではなく、緑色用ユニットの赤色光や青色光についての感度が「０」ではなく、かつ青色用ユニットの赤色光や緑色光についての感度が「０」ではない。
【０００７】
したがって、図６に示すように、例えば、波長λｒｘをピーク光量波長とする赤色光、波長λｇｘをピーク光量波長とする緑色光、および波長λｂｘをピーク光量波長とする青色光の３種類の被測定光が光量測定装置に入射している状態において、赤色光を検出すべき赤色用ユニットからの検出信号が、赤色光の入射に伴う信号成分だけでなく、緑色光や青色光の入射に伴う信号成分を含んだ状態となり、緑色光を検出すべき緑色用ユニットからの検出信号が、緑色光の入射に伴う信号成分だけでなく、赤色光や青色光の入射に伴う信号成分を含んだ状態となり、かつ、青色光を検出すべき青色用ユニットからの検出信号が、青色光の入射に伴う信号成分だけでなく、赤色光や緑色光の入射に伴う信号成分を含んだ状態となる。
【０００８】
このため、従来の光量測定装置では、赤色光の光量、緑色光の光量、および青色光の光量を別個に特定可能とするために上記のような構成を採用しているにも拘わらず、赤色光単体の光量、緑色光単体の光量および青色光単体の光量を正確に測定するのが困難となっているという問題点が存在する。
【０００９】
本発明は、かかる問題点に鑑みてなされたものであり、波長が相違する複数種類の被測定光の光量をそれぞれ正確に測定し得る光量測定装置を提供することを主目的とする。
【課題を解決するための手段】
【００１０】
上記目的を達成すべく、請求項１から３記載の光量測定装置は、被測定光を受光可能に配設されて受光量に応じた第１の検出信号を出力する第１の光電変換部を有する第１の受光センサと、前記被測定光を受光可能に配設されて受光量に応じた第２の検出信号を出力する第２の光電変換部を有する第２の受光センサとを備えたＮ個（Ｎは、２以上の自然数）の受光部、並びに当該各受光部毎に予め規定された互いに相違するＮ種類の測定対象波長範囲内の波長の前記被測定光の光量を前記各検出信号に基づいてそれぞれ測定する処理部を備え、前記各受光部は、前記両光電変換部に対する前記被測定光の入射を許容する入射許容波長範囲がそれぞれ規定されて当該入射許容波長範囲内に前記測定対象波長範囲がそれぞれ規定されると共に、当該各受光部毎の前記第１の受光センサの分光感度と前記第２の受光センサの分光感度との比が当該入射許容波長範囲内の各波長の前記被測定光毎に相違するように構成され、かつ当該入射許容波長範囲内の前記被測定光の当該両光電変換部に対する入射を許容しつつ、当該入射許容波長範囲よりも短い波長の短波長側入射規制波長範囲および当該入射許容波長範囲よりも長い波長の長波長側入射規制波長範囲の両入射規制波長範囲内の波長の前記被測定光の前記両光電変換部に対する入射を規制する第１の光学フィルタをそれぞれ備え、前記各第１の光学フィルタは、他の当該第１の光学フィルタが配設された前記受光部に対して規定されている（Ｎ−１）個の前記測定対象波長範囲が前記両入射規制波長範囲のいずれかに含まれるようにそれぞれ構成されている。
【００１１】
また、請求項１記載の光量測定装置は、前記各第１の光学フィルタは、前記各測定対象波長範囲のうちの波長が短い順でＭ番目（Ｍは、（Ｎ−１）以下の各自然数）の当該測定対象波長範囲が規定された前記受光部の前記入射許容波長範囲の一部と、当該各測定対象波長範囲のうちの波長が短い順で（Ｍ＋１）番目の当該測定対象波長範囲が規定された前記受光部の前記入射許容波長範囲の一部とが重なるように当該各受光部毎の前記両入射規制波長範囲がそれぞれ規定され、前記処理部は、前記各検出信号に基づいて前記被測定光の波長および光量を測定し、予め規定された光量以上で前記各測定対象波長範囲以外の波長の当該被測定光が測定されたときに予め規定された第１の処理を実行する。
また、請求項２記載の光量測定装置は、前記被測定光を受光可能に配設されて前記各測定対象波長範囲のうちで最も短い波長の当該測定対象波長範囲よりも短い第１の波長から当該各測定対象波長範囲のうちで最も長い波長の当該測定対象波長範囲よりも長い第２の波長までの各波長の当該被測定光を受光可能に配設されて当該被測定光の受光量に応じた第３の検出信号を出力する第３の光電変換部を備え、前記処理部は、前記各受光部からの前記各検出信号に基づいて当該各受光部に入射している前記各測定対象波長範囲内の波長の前記被測定光が前記第３の光電変換部に入射したときに当該第３の光電変換部から出力される前記第３の検出信号の予測値を演算し、当該第３の検出信号から出力された前記第３の検出信号の値と前記予測値とが相違するときに予め規定された第２の処理を実行する。
また、請求項３記載の光量測定装置は、前記各測定対象波長範囲のうちで最も短い波長の当該測定対象波長範囲よりも短い第１の波長から当該各測定対象波長範囲のうちで最も長い波長の当該測定対象波長範囲よりも長い第２の波長までの各波長の前記被測定光を対象とする波長および光量の特定が可能なポリクロメータを備え、前記処理部は、前記ポリクロメータからの出力信号に基づき、前記各測定対象波長範囲以外の波長で、かつ予め規定された光量以上の前記被測定光が当該ポリクロメータに入射しているか否かを判別し、当該被測定光が当該ポリクロメータに入射しているときに予め規定された第３の処理を実行する。
【００１２】
また、請求項４記載の光量測定装置は、請求項２または３記載の光量測定装置において、前記各第１の光学フィルタは、前記各測定対象波長範囲のうちの波長が短い順でＭ番目（Ｍは、（Ｎ−１）以下の各自然数）の当該測定対象波長範囲が規定された前記受光部の前記入射許容波長範囲と、当該各測定対象波長範囲のうちの波長が短い順で（Ｍ＋１）番目の当該測定対象波長範囲が規定された前記受光部に対して規定された前記入射許容波長範囲とが重ならないように当該各受光部毎の前記両入射規制波長範囲がそれぞれ規定されている。
【００１３】
また、請求項５記載の光量測定装置は、請求項１から４のいずれかに記載の光量測定装置において、前記各受光部は、前記第１の受光センサおよび前記第２の受光センサの少なくとも一方が前記第１の光電変換部または前記第２の光電変換部に対する前記被測定光の入射量を制限する第２の光学フィルタを備えて当該各受光部毎の前記両分光感度の比が前記入射許容波長範囲内の各波長の前記被測定光毎に相違するように構成されている。
【００１６】
また、請求項６記載の光量測定装置は、請求項１から５のいずれかに記載の光量測定装置において、前記処理部は、前記第１の検出信号の信号レベル、および前記第２の検出信号の信号レベルのいずれか一方に対する他方の比に基づいて前記被測定光の波長を特定すると共に、特定した波長と、前記前記第１の検出信号の信号レベルおよび前記前記第２の検出信号の信号レベルのいずれか一方とに基づいて前記被測定光の光量を測定する。
【００１７】
さらに、請求項７記載の光量測定装置は、請求項６記載の光量測定装置において、前記処理部は、前記第１の受光センサおよび前記第２の受光センサのうち、特定した波長の前記被測定光の分光感度が高い一方から出力された前記検出信号の信号レベルに基づいて当該被測定光の光量を測定する。
【００１８】
また、請求項８記載の光量測定装置は、請求項１から５のいずれかに記載の光量測定装置前記処理部は、前記第１の検出信号の信号レベルに基づいて測定した前記被測定光の第１の光量と、前記第２の検出信号の信号レベルに基づいて測定した当該被測定光の第２の光量との平均値を当該被測定光の光量として測定する。
【００１９】
また、請求項９記載の光量測定装置は、請求項１から８のいずれかに記載の光量測定装置において、前記各受光部は、前記第１の受光センサの分光感度特性が長い波長の光ほど感度が高くなり、かつ前記第２の受光センサの分光感度特性が短い波長の光ほど感度が高くなるように構成されている。
【発明の効果】
【００２０】
請求項１から３記載の光量測定装置では、Ｎ個の受光部、および互いに相違するＮ種類の測定対象波長範囲内の波長の被測定光の光量を各受光部からの検出信号に基づいてそれぞれ測定する処理部を備え、各受光部が、第１の受光センサの分光感度と第２の受光センサの分光感度との比が入射許容波長範囲内の各波長の被測定光毎に相違するように構成されると共に、入射許容波長範囲内の被測定光の両光電変換部に対する入射を許容しつつ、入射許容波長範囲よりも短い波長の短波長側入射規制波長範囲および入射許容波長範囲よりも長い波長の長波長側入射規制波長範囲の両入射規制波長範囲内の波長の被測定光の両光電変換部に対する入射を規制する第１の光学フィルタをそれぞれ備えて構成され、各第１の光学フィルタが、他の第１の光学フィルタが配設された受光部に対して規定されている（Ｎ−１）個の測定対象波長範囲が両入射規制波長範囲のいずれかに含まれるようにそれぞれ構成されている。
【００２１】
したがって、請求項１から３記載の光量測定装置によれば、他の受光部に対して規定されている測定対象波長範囲内の波長の被測定光（他の受光部によって検出される波長の被測定光）の両受光センサへの入射が第１の光学フィルタによって規制される結果、各受光部に対して規定されている測定対象波長範囲内の波長の被測定光が他の受光部によって同時に検出されることが回避されるため、光量測定装置に対してＮ種類の測定対象波長範囲内の波長の被測定光が入射しているときには、これらの被測定光の光量や波長を、Ｎ個の受光部からの各検出信号に基づいてそれぞれ正確に測定することができる。
【００２２】
また、請求項１記載の光量測定装置では、各第１の光学フィルタが、波長が短い順でＭ番目の測定対象波長範囲が規定された受光部の入射許容波長範囲の一部と、波長が短い順で（Ｍ＋１）番目の測定対象波長範囲が規定された受光部の入射許容波長範囲の一部とが重なるように各受光部毎の両入射規制波長範囲がそれぞれ規定され、処理部が、各検出信号に基づいて被測定光の波長および光量を測定し、予め規定された光量以上で各測定対象波長範囲以外の波長の被測定光が測定されたときに予め規定された第１の処理を実行する。
【００２３】
したがって、請求項１記載の光量測定装置によれば、測定対象波長範囲以外の波長の被測定光が光量測定装置に入射しているか否かを確実に特定することができ、入射しているときに任意の処理（第１の処理：例えば、エラーメッセージの表示および測定処理の終了などの処理）を実行させることで、測定対象波長範囲以外の波長の被測定光が入射しているか否かを確実かつ容易に認識させることができる。
【００２４】
また、請求項２記載の光量測定装置によれば、処理部が、各受光部からの各検出信号に基づいて各受光部に入射している各測定対象波長範囲内の波長の被測定光が第３の光電変換部に入射したときに第３の光電変換部から出力される第３の検出信号の予測値を演算し、第３の光電変換部からの第３の検出信号から出力された第３の検出信号の値と予測値とが相違するときに予め規定された第２の処理を実行することにより、測定対象波長範囲以外の波長の被測定光が光量測定装置に入射しているか否かを確実に特定することができ、入射しているときに任意の処理（第２の処理：例えば、エラーメッセージの表示および測定処理の終了などの処理）を実行させることで、測定対象波長範囲以外の波長の被測定光が入射しているか否かを確実かつ容易に認識させることができる。
【００２５】
また、請求項３記載の光量測定装置によれば、処理部が、ポリクロメータからの出力信号に基づき、各測定対象波長範囲以外の波長で、かつ予め規定された光量以上の被測定光がポリクロメータに入射しているか否かを判別し、被測定光がポリクロメータに入射しているときに予め規定された第３の処理を実行することにより、測定対象波長範囲以外の波長の被測定光が光量測定装置に入射しているか否かを確実に特定することができ、入射しているときに任意の処理（第３の処理：例えば、エラーメッセージの表示および測定処理の終了などの処理）を実行させることで、測定対象波長範囲以外の波長の被測定光が入射しているか否かを確実かつ容易に認識させることができる。
【００２６】
請求項４記載の光量測定装置では、各第１の光学フィルタが、波長が短い順でＭ番目の測定対象波長範囲が規定された受光部の入射許容波長範囲と、波長が短い順で（Ｍ＋１）番目の測定対象波長範囲が規定された受光部に対して規定された入射許容波長範囲とが重ならないように各受光部毎の両入射規制波長範囲がそれぞれ規定されている。したがって、請求項３記載の光量測定装置によれば、各受光部毎に規定されている測定対象波長範囲以外の波長の被測定光が同時に複数の受光部によって検出される事態が確実に阻止されるため、波長が相違するＮ種類の被測定光の光量や波長の正確な測定を確実に実行することができる。
【００２７】
請求項５記載の光量測定装置では、第１の受光センサおよび第２の受光センサの少なくとも一方が第１の光電変換部または第２の光電変換部に対する被測定光の入射量を制限する第２の光学フィルタを備えて各受光部毎の両分光感度の比が入射許容波長範囲内の各波長の被測定光毎に相違するように構成されている。したがって、両受光センサが第２の光学フィルタを備えていない構成を採用するときには、分光感度特性が互いに相違する光電変換部を採用して両受光センサ（受光部）を構成する必要が生じ、これに起因して、被測定光の受光時における両光電変換部からの出力信号の信号処理が煩雑となるのに対して、請求項２記載の光量測定装置によれば、同じ製品で構成された両光電変換部の少なくとも一方に第２の光学フィルタを配設することで両受光センサの分光感度の比を入射許容波長範囲内の各波長の被測定光毎に相違させることができるため、被測定光の受光時における両光電変換部からの出力信号を確実かつ容易に信号処理することができ、これにより、被測定光の光量を一層正確に測定することができる。
【００２８】
請求項６記載の光量測定装置によれば、処理部が、第１の検出信号の信号レベル、および第２の検出信号の信号レベルのいずれか予め規定された一方に対する他方の比に基づいて被測定光の波長を特定すると共に、特定した波長と、第１の検出信号の信号レベルおよび第２の検出信号の信号レベルのいずれか一方とに基づいて被測定光の光量を測定することにより、第１の検出信号および第２の検出信号の双方に基づいて被測定光の光量を測定する構成と比較して、短時間で光量を正確に特定することができる。
【００２９】
請求項７記載の光量測定装置によれば、処理部が、第１の受光センサおよび第２の受光センサのうち、特定した波長の被測定光の分光感度が高い一方から出力された検出信号の信号レベルに基づいて被測定光の光量を測定することにより、被測定光の光量を一層正確に測定することができる。
【００３０】
請求項８記載の光量測定装置によれば、処理部が、第１の検出信号の信号レベルに基づいて測定した被測定光の第１の光量と、第２の検出信号の信号レベルに基づいて測定した被測定光の第２の光量との平均値を被測定光の光量として測定することにより、両検出信号のいずれかの値がノイズ等の影響によって実際の光量とは僅かに相違する値になったとしても、被測定光の光量を正確に測定することができる。
【００３１】
請求項９記載の光量測定装置によれば、第１の受光センサの分光感度特性が長い波長の光ほど感度が高くなり、かつ第２の受光センサの分光感度特性が短い波長の光ほど感度が高くなるように各受光部を構成したことにより、各波長毎の被測定光についての第１の受光センサの感度と第２の受光センサの感度との比が大きく相違する状態となるため、どのような波長の被測定光が入射しているかを高精度で測定することができる。
【図面の簡単な説明】
【００３２】
【図１】光量測定装置１の構成図である。
【図２】受光部２Ｇにおける受光センサ２０ａ，２０ｂの分光感度特性について説明するための説明図である。
【図３】光量測定装置１における受光部２Ｒ，２Ｇ，２Ｂの分光感度特性の一例について説明するための説明図である。
【図４】他の実施の形態に係る光量測定装置１Ａの構成図である。
【図５】さらに他の実施の形態に係る「光量測定装置」における受光部２Ｒ，２Ｇ，２Ｂの分光感度特性の一例について説明するための説明図である。
【図６】従来の光量測定装置における各感知ユニットの分光感度特性について説明するための説明図である。
【発明を実施するための形態】
【００３３】
以下、光量測定装置の実施の形態について、添付図面を参照して説明する。
【００３４】
図１に示す光量測定装置１は、「光量測定装置」の一例であって、受光部２Ｒ，２Ｇ，２Ｂ、光電変換部２３ｃ、Ｉ／Ｖ変換部３ａ〜３ｃ、切替えスイッチ４ｒ，４ｇ，４ｂ、Ａ／Ｄ変換部５ｒ，５ｇ，５ｂ，５ｃ、操作部６、表示部７、処理部８および記憶部９を備え、被測定光Ｌの光量（一例として、「測光量」の一例である「輝度」、「照度」および「色度」など）を測定可能に構成されている。この場合、被測定光Ｌは、「被測定光」の一例であって、本例では、視聴覚機器（プロジェクタ）や照明器具などの赤色光源から発せられる赤色光、緑色光源から発せられる緑色光、および青色光源から発せられる青色光（「波長が相違するＮ＝３種類の被測定光」の一例）を含む被測定光Ｌを対象とする測定処理を行うものとする。
【００３５】
一方、受光部２Ｒ，２Ｇ，２Ｂ（以下、区別しないときには「受光部２」ともいう）は、「Ｎ＝３個の受光部」の一例であって、受光センサ２０ａ，２０ｂおよび光学フィルタ２１をそれぞれ備えて構成されている。また、受光センサ２０ａは、「第１の受光センサ」の一例であって、光学フィルタ２２ａおよび光電変換部２３ａを備えて構成されている。さらに、受光センサ２０ｂは、「第２の受光センサ」の一例であって、光学フィルタ２２ｂおよび光電変換部２３ｂを備えて構成されている。なお、本例では、上記の両光学フィルタ２２ａ，２２ｂが「第２の光学フィルタ」に相当する。また、本例では、光電変換部２３ａが「第１の光電変換部」に相当し、かつ光電変換部２３ｂが「第２の光電変換部」に相当する。
【００３６】
この場合、本例の光量測定装置１では、受光センサ２０ａの分光感度と、受光センサ２０ｂの分光感度との比が、各受光部２毎に予め規定された「測定対象波長範囲」内の各波長の被測定光Ｌ毎に相違するように光学特性（光透過特性）が規定された両光学フィルタ２２ａ，２２ｂが両光電変換部２３ａ，２３ｂの受光面側に配設されて両受光センサ２０ａ，２０ｂがそれぞれ構成されている（「第１の受光センサおよび第２の受光センサの双方が第２の光学フィルタを備えている」との構成の例）。具体的には、一例として、受光センサ２０ａは、図２に一点鎖線Ｌ１で示すように、その分光感度特性が長い波長の光ほど感度が高くなるように光電変換部２３ａに対する被測定光Ｌの入射量を制限（規制）可能に光学フィルタ２２ａの光学特性が規定されている。また、受光センサ２０ｂは、同図に二点鎖線Ｌ２で示すように、その分光感度特性が短い波長の光ほど感度が高くなるように光電変換部２３ｂに対する被測定光Ｌの入射量を制限（規制）可能に光学フィルタ２２ｂの光学特性が規定されている。
【００３７】
なお、同図では、一例として、光学フィルタ２１が存在しない状態の受光部２Ｇにおける受光センサ２０ａの分光感度特性（光学フィルタ２２ａの存在によって規定される光電変換部２３ａの分光感度特性）を一点鎖線Ｌ１で表し、光学フィルタ２１が存在しない状態の受光部２Ｇにおける受光センサ２０ｂの分光感度特性（光学フィルタ２２ｂの存在によって規定される光電変換部２３ｂの分光感度特性）を二点鎖線Ｌ２で表している。
【００３８】
光電変換部２３ａは、光学フィルタ２１，２２ａを透過した被測定光Ｌを受光可能に配設されて受光量に応じた検出信号Ｓｉａ（「第１の検出信号」の一例）を出力し、光電変換部２３ｂは、光学フィルタ２１，２２ｂを透過した被測定光Ｌを受光可能に配設されて受光量に応じた検出信号Ｓｉｂ（「第２の検出信号」の一例）を出力する。なお、本例では、同じ製品で構成された光電変換部２３ａ，２３ｂが採用されて両受光センサ２０ａ，２０ｂがそれぞれ構成されている。
【００３９】
光学フィルタ２１は、「第１の光学フィルタ」の一例であって、各受光部２毎に予め規定された「入射許容波長範囲」内の波長の被測定光Ｌの受光センサ２０ａ，２０ｂに対する入射を許容しつつ、「入射許容波長範囲」よりも短い波長の「短波長側入射規制波長範囲」および「入射許容波長範囲」よりも長い波長の「長波長側入射規制波長範囲」の両「入射規制波長範囲」内の波長の被測定光Ｌの受光センサ２０ａ，２０ｂに対する入射を規制するように構成されている。具体的には、例えば受光部２Ｇの光学フィルタ２１は、光学フィルタ２１だけを透過させた被測定光Ｌを受光センサ２０ａ，２０ｂに入射させた際の受光センサ２０ａ，２０ｂの分光感度特性が図２に破線Ｌ３で示すような特性となるように「入射許容波長範囲」および「入射規制波長範囲」がそれぞれ規定されている。
【００４０】
これにより、本例の光量測定装置１では、受光部２Ｒにおける受光センサ２０ａの分光感度特性（受光部２Ｒにおける光学フィルタ２１，２２ａの光学特性）が図３に一点鎖線Ｌｒａで示す特性となり、かつ受光部２Ｒにおける受光センサ２０ｂの分光感度特性（受光部２Ｒにおける光学フィルタ２１，２２ｂの光学特性）が同図に二点鎖線Ｌｒｂで示す特性となっている。また、本例の光量測定装置１では、受光部２Ｇにおける受光センサ２０ａの分光感度特性（受光部２Ｇにおける光学フィルタ２１，２２ａの光学特性）が同図に一点鎖線Ｌｇａで示す特性となり、かつ受光部２Ｇにおける受光センサ２０ｂの分光感度特性（受光部２Ｇにおける光学フィルタ２１，２２ｂの光学特性）が同図に二点鎖線Ｌｇｂで示す特性となっている。さらに、本例の光量測定装置１では、受光部２Ｂにおける受光センサ２０ａの分光感度特性（受光部２Ｂにおける光学フィルタ２１，２２ａの光学特性）が同図に一点鎖線Ｌｂａで示す特性となり、かつ受光部２Ｂにおける受光センサ２０ｂの分光感度特性（受光部２Ｂにおける光学フィルタ２１，２２ｂの光学特性）が同図に二点鎖線Ｌｂｂで示す特性となっている。
【００４１】
この場合、本例の光量測定装置１では、図３に示すように、受光部２Ｒに対して「入射許容波長範囲」としての波長範囲Ｈｒが規定されると共に、波長範囲Ｈｒ内の波長の被測定光Ｌの受光センサ２０ａ，２０ｂに対する入射を許容しつつ、波長範囲Ｈｒよりも短い波長の波長範囲Ｈｒｓ（「短波長側入射規制波長範囲」の一例）および波長範囲Ｈｒよりも長い波長の波長範囲Ｈｒｌ（「長波長側入射規制波長範囲」の一例）の両波長範囲Ｈｒｓ，Ｈｒｌ内の波長の被測定光Ｌの受光センサ２０ａ，２０ｂに対する入射を規制するように受光部２Ｒの光学フィルタ２１が構成されている。
【００４２】
また、受光部２Ｇに対して「入射許容波長範囲」としての波長範囲Ｈｇが規定されると共に、波長範囲Ｈｇ内の波長の被測定光Ｌの受光センサ２０ａ，２０ｂに対する入射を許容しつつ、波長範囲Ｈｇよりも短い波長の波長範囲Ｈｇｓ（「短波長側入射規制波長範囲」の一例）および波長範囲Ｈｇよりも長い波長の波長範囲Ｈｇｌ（「長波長側入射規制波長範囲」の一例）の両波長範囲Ｈｇｓ，Ｈｇｌ内の波長の被測定光Ｌの受光センサ２０ａ，２０ｂに対する入射を規制するように受光部２Ｇの光学フィルタ２１が構成されている。
【００４３】
さらに、受光部２Ｂに対して「入射許容波長範囲」としての波長範囲Ｈｂが規定されると共に、波長範囲Ｈｂ内の波長の被測定光Ｌの受光センサ２０ａ，２０ｂに対する入射を許容しつつ、波長範囲Ｈｂよりも短い波長の波長範囲Ｈｂｓ（「短波長側入射規制波長範囲」の一例）および波長範囲Ｈｂよりも長い波長の波長範囲Ｈｂｌ（「長波長側入射規制波長範囲」の一例）の両波長範囲Ｈｂｓ，Ｈｂｌ内の波長の被測定光Ｌの受光センサ２０ａ，２０ｂに対する入射を規制するように受光部２Ｂの光学フィルタ２１が構成されている。
【００４４】
この場合、本例の光量測定装置１では、受光部２Ｒに対して規定された「入射許容波長範囲」としての波長範囲Ｈｒの全域が赤色光についての「測定対象波長範囲」に相当し、受光部２Ｇに対して規定された「入射許容波長範囲」としての波長範囲Ｈｇの全域が緑色光についての「測定対象波長範囲」に相当し、かつ受光部２Ｂに対して規定された「入射許容波長範囲」としての波長範囲Ｈｂの全域が青色光についての「測定対象波長範囲」に相当する（「入射許容波長範囲内に測定対象波長範囲がそれぞれ規定され」との構成の一例であって、「入射許容波長範囲」および「測定対象波長範囲」が互いに等しい波長範囲となっている構成の例）。
【００４５】
また、本例の光量測定装置１では、受光部２Ｇ，２Ｂ（「他の第１の光学フィルタが配設された受光部」の一例）に対して規定されている（Ｎ−１）＝２個の波長範囲Ｈｇ，Ｈｂ（測定対象波長範囲）が波長範囲Ｈｒｓ（入射規制波長範囲）に含まれるように受光部２Ｒの光学フィルタ２１が構成され、受光部２Ｒ，２Ｂ（「他の第１の光学フィルタが配設された受光部」の一例）に対して規定されている（Ｎ−１）＝２個の波長範囲Ｈｒ，Ｈｂ（測定対象波長範囲）が波長範囲Ｈｇｓ，Ｈｇｌ（入射規制波長範囲）に含まれるように受光部２Ｇの光学フィルタ２１が構成され、かつ受光部２Ｒ，２Ｇ（「他の第１の光学フィルタが配設された受光部」の一例）に対して規定されている（Ｎ−１）＝２個の波長範囲Ｈｒ，Ｈｇ（測定対象波長範囲）が波長範囲Ｈｂｌ（入射規制波長範囲）に含まれるように受光部２Ｂの光学フィルタ２１が構成されている。
【００４６】
また、本例の光量測定装置１では、各波長範囲Ｈｒ，Ｈｇ，Ｈｂ（測定対象波長範囲）のうちの波長が短い順でＭ＝１番目の波長範囲Ｈｂが規定された受光部２Ｂの「入射許容波長範囲（本例では、波長範囲Ｈｂ）」と、各波長範囲Ｈｒ，Ｈｇ，Ｈｂ（測定対象波長範囲）のうちの波長が短い順で（Ｍ＋１）＝２番目の波長範囲Ｈｇが規定された受光部２Ｇに対して規定された「入射許容波長範囲（本例では、波長範囲Ｈｇ）」とが重ならないように受光部２Ｂの波長範囲Ｈｂｌ（入射規制波長範囲）および受光部２Ｇの波長範囲Ｈｇｓ（入射規制波長範囲）が規定されて両受光部２Ｂ，２Ｇの光学フィルタ２１が構成されている。この結果、本例の光量測定装置１では、受光部２Ｂに対して規定された「入射許容波長範囲」としての波長範囲Ｈｂと、受光部２Ｇに対して規定された「入射許容波長範囲」としての波長範囲Ｈｇとの間に、受光部２Ｂ，２Ｇの双方において被測定光Ｌが実質的に検出されない波長範囲Ｈ１が存在している。
【００４７】
さらに、本例の光量測定装置１では、各波長範囲Ｈｒ，Ｈｇ，Ｈｂ（測定対象波長範囲）のうちの波長が短い順でＭ＝２番目の波長範囲Ｈｇが規定された受光部２Ｇの「入射許容波長範囲（本例では、波長範囲Ｈｇ）」と、各波長範囲Ｈｒ，Ｈｇ，Ｈｂ（測定対象波長範囲）のうちの波長が短い順で（Ｍ＋１）＝３番目の波長範囲Ｈｒが規定された受光部２Ｒに対して規定された「入射許容波長範囲（本例では、波長範囲Ｈｒ）」とが重ならないように受光部２Ｇの波長範囲Ｈｇｌ（入射規制波長範囲）および受光部２Ｒの波長範囲Ｈｒｓ（入射規制波長範囲）が規定されて両受光部２Ｇ，２Ｒの光学フィルタ２１が構成されている。この結果、本例の光量測定装置１では、受光部２Ｇに対して規定された「入射許容波長範囲」としての波長範囲Ｈｇと、受光部２Ｒに対して規定された「入射許容波長範囲」としての波長範囲Ｈｒとの間に、受光部２Ｇ，２Ｒの双方において被測定光Ｌが実質的に検出されない波長範囲Ｈ２が存在している。
【００４８】
光電変換部２３ｃは、「第３の光電変換部」の一例であって、図１に示すように、被測定光Ｌを受光可能に配設されて受光量に応じた検出信号Ｓｉｃ（「第３の検出信号」の一例）を出力する。この場合、この光電変換部２３ｃは、上記の各受光部２における光電変換部２３ａ，２３ｂとは異なり、「第１の光学フィルタ（光学フィルタ２１）」や「第２の光学フィルタ（光学フィルタ２２ａ，２３）」に対応する光学フィルタが受光面に配設されていない。これにより、この光量測定装置１では、各受光部２に対して規定された上記の波長範囲Ｈｒ，Ｈｇ，Ｈｂ（測定対象波長範囲）のうちで最も短い波長の波長範囲Ｈｂよりも短い波長λ１（図３参照：「第１の波長」の一例）から、波長範囲Ｈｒ，Ｈｇ，Ｈｂ（測定対象波長範囲）のうちで最も長い波長の波長範囲Ｈｒよりも長い波長λ２（図３参照：「第２の波長」の一例）までの波長範囲Ｈ内の各波長の被測定光Ｌを光電変換部２３ｃによって受光することが可能となっている。
【００４９】
各Ｉ／Ｖ変換部３ａ〜３ｃは、Ａ／Ｄ変換部５ｒ，５ｇ，５ｂ，５ｃおよび処理部８と相俟って「処理部」を構成し、Ｉ／Ｖ変換部３ａが光電変換部２３ａ（受光センサ２０ａ）からの検出信号ＳｉａをＩ／Ｖ変換して検出信号Ｓｖａを出力し、かつＩ／Ｖ変換部３ｂが光電変換部２３ｂ（受光センサ２０ｂ）からの検出信号ＳｉｂをＩ／Ｖ変換して検出信号Ｓｖｂを出力すると共に、Ｉ／Ｖ変換部３ｃが光電変換部２３ｃからの検出信号ＳｉｃをＩ／Ｖ変換して検出信号Ｓｖｃを出力可能に構成されている。切替えスイッチ４ｒ，４ｇ，４ｂ（以下、区別しないときには「切替えスイッチ４」ともいう）は、処理部８の制御に従い、Ａ／Ｄ変換部５ｒ，５ｇ，５ｂに対してＩ／Ｖ変換部３ａ，３ｂのいずれか一方を選択的に接続する。
【００５０】
Ａ／Ｄ変換部５ｒ，５ｇ，５ｂ，５ｃ（以下、区別しないときには「Ａ／Ｄ変換部５」ともいう）は、Ｉ／Ｖ変換部３ａ〜３ｃから出力される検出信号Ｓｖａ〜ＳｖｃをＡ／Ｄ変換処理して検出信号データＤａ〜Ｄｃを生成する。この場合、Ａ／Ｄ変換部５ｒ，５ｇ，５ｂは、切替えスイッチ４を介してＩ／Ｖ変換部３ａが接続されているときには、Ｉ／Ｖ変換部３ａから出力された検出信号Ｓｖａを所定の周期でＡ／Ｄ変換して検出信号データＤａを生成し、生成した検出信号データＤａを処理部８に出力すると共に、切替えスイッチ４を介してＩ／Ｖ変換部３ｂが接続されているときには、Ｉ／Ｖ変換部３ｂから出力された検出信号Ｓｖｂを所定の周期でＡ／Ｄ変換して検出信号データＤｂを生成し、生成した検出信号データＤｂを処理部８に出力する。また、Ａ／Ｄ変換部５ｃは、Ｉ／Ｖ変換部３ｃから出力された検出信号Ｓｖｃを所定の周期でＡ／Ｄ変換して検出信号データＤｃを生成し、生成した検出信号データＤｃを処理部８に出力する。
【００５１】
操作部６は、後述する測定処理の条件の設定操作や、測定処理の開始／停止を指示する各種の操作スイッチを備え、スイッチ操作に応じた操作信号を処理部８に出力する。表示部７は、処理部８の制御に従い、測定条件設定画面や測定結果表示画面など（いずれも図示せず）を表示する。
【００５２】
処理部８は、光量測定装置１を総括的に制御する。具体的には、処理部８は、操作部６の操作によって測定処理の開始を指示されたときに、各切替えスイッチ４を制御して、一例として、Ｉ／Ｖ変換部３ａをＡ／Ｄ変換部５ｒ，５ｇ，５ｂにそれぞれ接続させると共に、各Ａ／Ｄ変換部５から出力される検出信号データＤａを記憶部９に記憶させる。また、処理部８は、記憶部９への検出信号データＤａの記憶が完了したときに、各切替えスイッチ４を制御してＩ／Ｖ変換部３ｂをＡ／Ｄ変換部５ｒ，５ｇ，５ｂにそれぞれ接続させると共に、各Ａ／Ｄ変換部５から出力される検出信号データＤｂを記憶部９に記憶させる。さらに、処理部８は、Ａ／Ｄ変換部５ｃから出力される検出信号データＤｃを記憶部９に記憶させる。
【００５３】
また、処理部８は、Ａ／Ｄ変換部５ｒから出力された検出信号データＤａ，Ｄｂに基づき、受光部２Ｒに入射している被測定光Ｌにおける赤色光の波長および光量を測定し、Ａ／Ｄ変換部５ｇから出力された検出信号データＤａ，Ｄｂに基づき、受光部２Ｇに入射している被測定光Ｌにおける緑色光の波長および光量を測定すると共に、Ａ／Ｄ変換部５ｂから出力された検出信号データＤａ，Ｄｂに基づき、受光部２Ｂに入射している被測定光Ｌにおける青色光の波長および光量を測定する。
【００５４】
この場合、本例の光量測定装置１では、処理部８が、一例として、記憶部９に記憶させた検出信号データＤａ，Ｄｂに基づき、受光部２Ｒ，２Ｇ，２Ｂに入射している被測定光Ｌ（赤色光、緑色光および青色光）の波長をそれぞれ特定（測定）すると共に、特定した波長、および予め規定された光量算出用の係数（または、両検出信号データＤａ，Ｄｂの値および波長と光量との関係を記録した光量算出用のテーブル）に基づき、利用者によって指定された光量（「輝度」、「照度」および「色度」など：「測光量」）を被測定光Ｌの光量として演算（測定）する構成が採用されている。なお、被測定光Ｌの波長および光量の測定処理の具体的な手順については、後に詳細に説明する。
【００５５】
さらに、処理部８は、検出信号データＤａ，Ｄｂに基づいて測定した赤色光、緑色光および青色光が光電変換部２３ｃに入射したときにＡ／Ｄ変換部５ｃから出力される検出信号データＤｃの値（「予測値」の一例）を特定し、特定した値と、Ａ／Ｄ変換部５ｃから実際に出力される検出信号データＤｃの値とを比較することにより、波長範囲Ｈｒ，Ｈｇ，Ｈｂ以外の波長で規定光量以上の被測定光Ｌが光量測定装置１に入射しているか否かを判別する。また、処理部８は、波長範囲Ｈｒ，Ｈｇ，Ｈｂ以外の波長で規定光量以上の被測定光Ｌが光量測定装置１に入射しているときに、予め規定されたエラーメッセージを表示部７に表示させて測定処理を終了する（「第２の処理」の一例）。なお、この「第２の処理」の具体的な手順についても、後に詳細に説明する。
【００５６】
記憶部９は、処理部８の動作プログラムや、各Ａ／Ｄ変換部５から出力された検出信号データＤａ〜Ｄｃなどを記憶する。この場合、本例の光量測定装置１は、実際には、受光部２Ｒ，２Ｇ，２Ｂおよび光電変換部２３ｃに対する被測定光Ｌの入射方向や入射量を規制するための光拡散部やアパーチャなどを備えているが、これらの構成および機能については公知のため、図示および詳細な説明を省略する。
【００５７】
この光量測定装置１による測定処理に際しては、まず、各受光部２や光電変換部２３ｃに対して被測定光Ｌ（赤色光、緑色光および青色光など）が入射するように光量測定装置１を設置する。この際に、各受光部２の受光センサ２０ａでは、光学フィルタ２１，２２ａを透過した被測定光Ｌが光電変換部２３ａによって受光され、その受光量に応じた電流値の検出信号Ｓｉａが光電変換部２３ａからそれぞれ出力される状態となる。また、各受光部２の受光センサ２０ｂでは、光学フィルタ２１，２２ｂを透過した被測定光Ｌが光電変換部２３ｂによって受光され、その受光量に応じた電流値の検出信号Ｓｉｂが光電変換部２３ｂからそれぞれ出力される状態となる。
【００５８】
次いで、操作部６の操作によって測定処理の開始が指示されたときに、処理部８は、まず、各受光部２に入射している被測定光Ｌの波長を特定する。具体的には、処理部８は、各切替えスイッチ４を制御して、一例として、各Ｉ／Ｖ変換部３ａをＡ／Ｄ変換部５にそれぞれ接続させると共に、各Ａ／Ｄ変換部５を制御してＡ／Ｄ変換処理を開始させる。この際に、各Ａ／Ｄ変換部５は、受光センサ２０ａ（光電変換部２３ａ）からの検出信号ＳｉａがＩ／Ｖ変換部３ａによってＩ／Ｖ変換された検出信号Ｓｖａを所定の周期でＡ／Ｄ変換して検出信号データＤａを生成し、生成した検出信号データＤａを処理部８に出力する。また、処理部８は、各Ａ／Ｄ変換部５から出力された検出信号データＤａを記憶部９にそれぞれ記憶させる。
【００５９】
続いて、処理部８は、各検出信号データＤａの処理部８への記憶が完了したときに、各切替えスイッチ４を制御して、各Ｉ／Ｖ変換部３ｂをＡ／Ｄ変換部５にそれぞれ接続させると共に、各Ａ／Ｄ変換部５を制御してＡ／Ｄ変換処理を継続させる。この際に、各Ａ／Ｄ変換部５は、受光センサ２０ｂ（光電変換部２３ｂ）からの検出信号ＳｉｂがＩ／Ｖ変換部３ｂによってＩ／Ｖ変換された検出信号Ｓｖｂを所定の周期でＡ／Ｄ変換して検出信号データＤｂを生成し、生成した検出信号データＤｂを処理部８に出力する。また、処理部８は、各Ａ／Ｄ変換部５から出力された検出信号データＤｂを記憶部９にそれぞれ記憶させる。
【００６０】
次いで、処理部８は、一例として、各受光部２毎の検出信号データＤａの値（Ａ／Ｄ変換部５によるサンプリング値：「第１の検出信号の信号レベル」に対応する値の一例）、および検出信号データＤｂの値（Ａ／Ｄ変換部５によるサンプリング値：「第２の検出信号の信号レベル」に対応する値の一例）のいずれか予め規定された一方に対する他方の比（一例として、検出信号データＤａの値に対する検出信号データＤｂの値の比：検出信号データＤｂの値／検出信号データＤａの値）を演算し、演算した比に基づいて、各受光部２の受光センサ２０ａ，２０ｂに入射した被測定光Ｌの波長（赤色光、緑色光および青色光のそれぞれの波長）を特定（演算）する。
【００６１】
この場合、この光量測定装置１では、前述したように、受光部２Ｒの光電変換部２３ａ，２３ｂに対して波長範囲Ｈｒ以外の波長の被測定光Ｌが入射せず、受光部２Ｇの光電変換部２３ａ，２３ｂに対して波長範囲Ｈｇ以外の波長の被測定光Ｌが入射せず、かつ受光部２Ｂの光電変換部２３ａ，２３ｂに対して波長範囲Ｈｂ以外の波長の被測定光Ｌが入射しないように各受光部２の光学フィルタ２１が構成されている。また、この光量測定装置１では、各受光部２における両受光センサ２０ａ，２０ｂの光学フィルタ２２ａ，２２ｂが前述したような光学特性を有して光電変換部２３ａ，２３ｂへの光の入射量が制限される構成が採用されている。このため、受光部２に入射している被測定光Ｌの波長が長いときほど、受光センサ２０ａの感度が高くなり、かつ受光センサ２０ｂの感度が低くなると共に、被測定光Ｌの波長が短いときほど、受光センサ２０ａの感度が低くなり、かつ受光センサ２０ｂの感度が高くなる。
【００６２】
具体的には、例えば、図３に示す波長λｒｓの被測定光Ｌ（赤色光）が受光部２Ｒの両受光センサ２０ａ，２０ｂによって受光されたときには、受光部２Ｒにおいて、光電変換部２３ａからの検出信号Ｓｉａの電流値（信号レベル）よりも、光電変換部２３ｂからの検出信号Ｓｉｂの電流値（信号レベル）が大きくなる。一方、波長λｒｌの被測定光Ｌ（赤色光）が受光部２Ｒの両受光センサ２０ａ，２０ｂによって受光されたときには、受光部２Ｒにおいて、光電変換部２３ｂからの検出信号Ｓｉｂの電流値（信号レベル）よりも、光電変換部２３ａからの検出信号Ｓｉａの電流値（信号レベル）が大きくなる。
【００６３】
また、例えば、図３に示す波長λｇｓの被測定光Ｌ（緑色光）が受光部２Ｇの両受光センサ２０ａ，２０ｂによって受光されたときには、受光部２Ｇにおいて、光電変換部２３ａからの検出信号Ｓｉａの電流値（信号レベル）よりも、光電変換部２３ｂからの検出信号Ｓｉｂの電流値（信号レベル）が大きくなる。一方、波長λｇｌの被測定光Ｌ（緑色光）が受光部２Ｇの両受光センサ２０ａ，２０ｂによって受光されたときには、受光部２Ｇにおいて、光電変換部２３ｂからの検出信号Ｓｉｂの電流値（信号レベル）よりも、光電変換部２３ａからの検出信号Ｓｉａの電流値（信号レベル）が大きくなる。
【００６４】
さらに、例えば、図３に示す波長λｂｓの被測定光Ｌ（青色光）が受光部２Ｂの両受光センサ２０ａ，２０ｂによって受光されたときには、受光部２Ｂにおいて、光電変換部２３ａからの検出信号Ｓｉａの電流値（信号レベル）よりも、光電変換部２３ｂからの検出信号Ｓｉｂの電流値（信号レベル）が大きくなる。一方、波長λｂｌの被測定光Ｌ（青色光）が受光部２Ｂの両受光センサ２０ａ，２０ｂによって受光されたときには、受光部２Ｂおいて、光電変換部２３ｂからの検出信号Ｓｉｂの電流値（信号レベル）よりも、光電変換部２３ａからの検出信号Ｓｉａの電流値（信号レベル）が大きくなる。
【００６５】
したがって、例えば受光部２Ｒの受光センサ２０ａ，２０ｂに入射した被測定光Ｌ（赤色光）の波長が図３に示す波長範囲Ｈｒ内であって波長λｒよりも短いときには、受光センサ２０ａの感度が受光センサ２０ｂの感度よりも低いため、検出信号Ｓｉａの電流値（信号レベル）に対する検出信号Ｓｉｂの電流値（信号レベル）の比、すなわち、検出信号データＤａの値に対する検出信号データＤｂの値の比が「１」よりも大きな値となる。この場合、被測定光Ｌ（赤色光）の波長が波長範囲Ｈｒ内であって波長λｒよりも短いときには、波長が短いほど上記の比が大きな値となり、波長が長いほど上記の比が小さな値となる。したがって、処理部８は、検出信号データＤａの値に対する検出信号データＤｂの値の比の大きさに基づき、被測定光Ｌ（赤色光）の波長を特定（演算）する。
【００６６】
また、受光部２Ｒの受光センサ２０ａ，２０ｂに入射した被測定光Ｌ（赤色光）の波長が図３に示す波長範囲Ｈｒ内であって波長λｒよりも長いときには、受光センサ２０ａの感度が受光センサ２０ｂの感度よりも高いため、検出信号Ｓｉａの電流値（信号レベル）に対する検出信号Ｓｉｂの電流値（信号レベル）の比、すなわち、検出信号データＤａの値に対する検出信号データＤｂの値の比が「１」よりも小さな値となる。この場合、被測定光Ｌ（赤色光）の波長が波長範囲Ｈｒ内であって波長λｒよりも長いときにも、波長が短いほど上記の比が大きな値となり、波長が長いほど上記の比が小さな値となる。したがって、処理部８は、検出信号データＤａの値に対する検出信号データＤｂの値の比の大きさに基づき、被測定光Ｌ（赤色光）の波長を特定（演算）する。
【００６７】
さらに、受光部２Ｒの受光センサ２０ａ，２０ｂに入射した被測定光Ｌ（赤色光）の波長が波長λｒのときには、受光センサ２０ａの感度、および受光センサ２０ｂの感度が等しいため、検出信号Ｓｉａの電流値（信号レベル）に対する検出信号Ｓｉｂの電流値（信号レベル）の比、すなわち、検出信号データＤａの値に対する検出信号データＤｂの値の比が「１」となる。したがって、処理部８は、検出信号データＤａの値に対する検出信号データＤｂの値の比が「１」のときには、被測定光Ｌ（赤色光）の波長が波長λｒであると特定する。
【００６８】
なお、受光部２Ｇに入射した被測定光Ｌ（緑色光）についても、波長λｇよりも短いとき、波長λｇよりも長いとき、および波長λｇのときのいずれであるかに応じて、上記の被測定光Ｌ（赤色光）の波長の特定方法と同様にして被測定光Ｌ（緑色光）の波長が特定される。また、受光部２Ｂに入射した被測定光Ｌ（青色光）についても、波長λｂよりも短いとき、波長λｂよりも長いとき、および波長λｂのときのいずれであるかに応じて、上記の被測定光Ｌ（赤色光）の波長の特定方法と同様にして被測定光Ｌ（青色光）の波長が特定される。
【００６９】
次いで、処理部８は、被測定光Ｌ（赤色光、緑色光および青色光）の光量をそれぞれ測定する。この際に、処理部８は、例えば受光部２Ｒに入射している被測定光Ｌ（赤色光）の波長が波長λｒｓであると特定したときには、その波長領域の波長の被測定光Ｌに対する感度が高い受光センサ２０ｂから出力された検出信号Ｓｉｂを処理した検出信号データＤｂに基づいて光量を演算する。具体的には、処理部８は、記憶部９から受光部２Ｒの検出信号データＤｂを読み出し、読み出した検出信号データＤｂの値と、その値から光量を演算可能に予め規定された光量算出用の係数（または、テーブル）とに基づき、被測定光Ｌ（赤色光）の光量を演算する。
【００７０】
また、処理部８は、例えば受光部２Ｒに入射している被測定光Ｌ（赤色光）の波長が波長λｒｌであると特定したときには、その波長領域の波長の被測定光Ｌに対する感度が高い受光センサ２０ａから出力された検出信号Ｓｉａを処理した検出信号データＤａに基づいて光量を演算する。具体的には、処理部８は、記憶部９から受光部２Ｒの検出信号データＤａを読み出し、読み出した検出信号データＤａの値と、その値から光量を演算可能に予め規定された光量算出用の係数（または、テーブル）とに基づき、被測定光Ｌ（赤色光）の光量を演算する。この後、処理部８は、受光部２Ｇに入射している被測定光Ｌ（緑色光）、および受光部２Ｂに入射している被測定光Ｌ（青色光）についても、特定した波長に基づいて光量を演算する。
【００７１】
次いで、処理部８は、演算した上記の被測定光Ｌ（波長範囲Ｈｒ内の波長の赤色光、波長範囲Ｈｇ内の波長の緑色光、および波長範囲Ｈｂ内の波長の青色光）が光電変換部２３ｃに入射したときにＡ／Ｄ変換部５ｃから出力される検出信号データＤｃの値（「予測値」の一例）を演算する。なお、光電変換部２３ｃに対して、どのような波長でどの程度の光量の被測定光Ｌが入射したときに、どのような値の検出信号データＤｃがＡ／Ｄ変換部５ｃから出力されるかについては、測定処理の開始に先立って予め特定されているものとする。次いで、処理部８は、上記の「予測値」と、Ａ／Ｄ変換部５ｃから実際に出力されている検出信号データＤｃ（被測定光Ｌが入射している状態の光電変換部２３ｃから出力された検出信号ＳｉｃがＩ／Ｖ変換部３ｃによってＩ／Ｖ変換され、この検出信号ＳｉｃがＡ／Ｄ変換部５ｃによってＡ／Ｄ変換された値）とを比較する。
【００７２】
この際に、例えば、被測定光Ｌを発している光源の不調等により、光量測定装置１の測定対象とすべき波長範囲（光源から発せられるべき波長を含む波長範囲）である波長範囲Ｈｒ，Ｈｇ，Ｈｂ以外の波長の被測定光Ｌが光量測定装置１に入射しているときには、この波長範囲Ｈｒ，Ｈｇ，Ｈｂ以外の波長の被測定光Ｌが各受光部２の光電変換部２３ａ，２３ｂには入射しないが、光電変換部２３ｃには入射する状態となる。このため、検出信号データＤａ，Ｄｂのいずれかに基づいて特定される被測定光Ｌの光量（波長範囲Ｈｒ，Ｈｇ，Ｈｂ内の被測定光Ｌの光量）が、光電変換部２３ｃに対して入射している被測定光Ｌの光量（波長範囲Ｈｒ，Ｈｇ，Ｈｂ内の波長の被測定光Ｌだけでなく、波長範囲Ｈｂｓ，Ｈ１，Ｈ２，Ｈｒｌ内の波長の被測定光Ｌを含む光量）よりも少ない値となるため、検出信号データＤａ，Ｄｂのいずれかに基づいて特定した上記の「予測値」が、Ａ／Ｄ変換部５ｃから実際に出力されている検出信号データＤｃの値よりも小さな値となる。
【００７３】
したがって、処理部８は、Ａ／Ｄ変換部５ｃから実際に出力された検出信号データＤｃの値が「予測値」よりも大きな値のとき（「第３の検出信号と予測値とが相違するとき」の一例）には、想定外の波長の被測定光Ｌが光量測定装置１に入射しているため、一例として、「規定された波長範囲を外れた波長の光が検出されました。測定処理を終了します。」とのエラーメッセージを表示部７に表示させて（「第２の処理」の一例）、被測定光Ｌについての測定処理を終了する。
【００７４】
一方、波長範囲Ｈｒ，Ｈｇ，Ｈｂ以外の波長の被測定光Ｌが光量測定装置１に入射していないとき、すなわち、光量測定装置１に入射している被測定光Ｌのすべてが波長範囲Ｈｒ，Ｈｇ，Ｈｂ内の波長のときには、被測定光Ｌのすべてが各受光部２の光電変換部２３ａ，２３ｂおよび光電変換部２３ｃに対して入射する状態となっている。このため、検出信号データＤａ，Ｄｂのいずれかに基づいて特定される被測定光Ｌの光量が、光電変換部２３ｃに対して入射している被測定光Ｌの光量と等しくなるため、検出信号データＤａ，Ｄｂのいずれかに基づいて特定した上記の「予測値」が、Ａ／Ｄ変換部５ｃから実際に出力されている検出信号データＤｃの値と等しくなる。
【００７５】
したがって、処理部８は、Ａ／Ｄ変換部５ｃから実際に出力された検出信号データＤｃの値が「予測値」と等しいときには、想定外の波長の被測定光Ｌが光量測定装置１に入射していないため、検出信号データＤａ，Ｄｂのいずれかに基づいて測定した被測定光Ｌ（赤色光、緑色光および青色光）の光量、および光量の測定に先立って特定した各波長を表示部７に表示させる。これにより、被測定光Ｌ（赤色光、緑色光および青色光）についての一連の測定処理が完了する。
【００７６】
このように、この光量測定装置１では、Ｎ＝３個の受光部２Ｒ，２Ｇ，２Ｂ、および互いに相違するＮ＝３種類の波長範囲Ｈｒ，Ｈｇ，Ｈｂ（測定対象波長範囲）内の波長の被測定光Ｌの光量を各受光部２からの検出信号（本例では、検出信号データＤａ，Ｄｂ）に基づいてそれぞれ測定する処理部８を備え、各受光部２が、受光センサ２０ａの分光感度と受光センサ２０ｂの分光感度との比が波長範囲Ｈｒ，Ｈｇ，Ｈｂ（入射許容波長範囲）内の各波長の被測定光Ｌ毎に相違するように構成されると共に、波長範囲Ｈｒ，Ｈｇ，Ｈｂ内の被測定光Ｌの両光電変換部２３ａ，２３ｂに対する入射を許容しつつ、波長範囲Ｈｒ，Ｈｇ，Ｈｂよりも短い波長の波長範囲Ｈｒｓ，Ｈｇｓ，Ｈｂｓ（短波長側入射規制波長範囲）および波長範囲Ｈｒ，Ｈｇ，Ｈｂよりも長い波長の波長範囲Ｈｒｌ，Ｈｇｌ，Ｈｂｌ（長波長側入射規制波長範囲）の両「入射規制波長範囲」内の波長の被測定光Ｌの両光電変換部２３ａ，２３ｂに対する入射を規制する光学フィルタ２１をそれぞれ備えて構成され、各光学フィルタ２１が、他の光学フィルタ２１が配設された受光部２に対して規定されている（Ｎ−１）＝２個の「測定対象波長範囲（波長範囲Ｈｒ，Ｈｇ，Ｈｂのうちの２個）」が波長範囲Ｈｒｓ，Ｈｇｓ，Ｈｂｓおよび波長範囲Ｈｒｌ，Ｈｇｌ，Ｈｂｌのいずれかに含まれるようにそれぞれ構成されている。
【００７７】
したがって、この光量測定装置１によれば、他の受光部２に対して規定されている「測定対象波長範囲」内の波長の被測定光Ｌ（他の受光部２によって検出される波長の被測定光Ｌ）の受光センサ２０ａ，２０ｂへの入射が光学フィルタ２１によって規制される結果、各受光部２に対して規定されている「測定対象波長範囲」内の波長の被測定光Ｌが他の受光部２によって同時に検出されることが回避されるため、光量測定装置１に対してＮ種類の「測定対象波長範囲」内の波長の被測定光Ｌが入射しているときには、これらの被測定光Ｌの光量や波長を、Ｎ個の受光部２からの検出信号Ｓｉａ，Ｓｉｂに対応する検出信号データＤａ，Ｄｂに基づいてそれぞれ正確に測定することができる。
【００７８】
また、この光量測定装置１では、受光センサ２０ａ，２０ｂの少なくとも一方（本例では、双方）が光電変換部２３ａ，２３ｂに対する被測定光Ｌの入射量を制限する光学フィルタ２２ａ，２２ｂを備えて各受光部２毎の両分光感度の比が波長範囲Ｈｒ，Ｈｇ，Ｈｂ内の各波長の被測定光Ｌ毎に相違するように構成されている。したがって、両受光センサ２０ａ，２０ｂが「第２の光学フィルタ（光学フィルタ２２）」を備えていない構成を採用したときに、分光感度特性が互いに相違する「光電変換部」を採用して両「受光センサ（受光部）」を構成する必要が生じ、これに起因して、被測定光Ｌの受光時における両「光電変換部」からの出力信号の信号処理が煩雑となるのに対して、この光量測定装置１によれば、同じ製品で構成された両光電変換部２３ａ，２３ｂに「第２の光学フィルタ」としての光学フィルタ２２ａ，２２ｂを配設することで両受光センサ２０ａ，２０ｂの分光感度の比を波長範囲Ｈｒ，Ｈｇ，Ｈｂ内の各波長の被測定光Ｌ毎に相違させることができるため、被測定光Ｌの受光時における両光電変換部２３ａ，２３ｂからの出力信号を確実かつ容易に信号処理することができ、これにより、被測定光Ｌの光量を一層正確に測定することができる。
【００７９】
また、この光量測定装置１では、各光学フィルタ２１が、波長が短い順でＭ＝１番目の波長範囲Ｈｂ（測定対象波長範囲）が規定された受光部２Ｂの波長範囲Ｈｂ（入射許容波長範囲）と、波長が短い順で（Ｍ＋１）＝２番目の波長範囲Ｈｇ（測定対象波長範囲）が規定された受光部２Ｇに対して規定された波長範囲Ｈｇ（入射許容波長範囲）とが重ならず、かつ波長が短い順でＭ＝２番目の波長範囲Ｈｇ（測定対象波長範囲）が規定された受光部２Ｇの波長範囲Ｈｇ（入射許容波長範囲）と、波長が短い順で（Ｍ＋１）＝３番目の波長範囲Ｈｒ（測定対象波長範囲）が規定された受光部２Ｒに対して規定された波長範囲Ｈｒ（入射許容波長範囲）とが重ならないように各受光部２毎の両「入射規制波長範囲」がそれぞれ規定されている。
【００８０】
したがって、この光量測定装置１によれば、各受光部２毎に規定されている「測定対象波長範囲」以外の波長の被測定光Ｌが同時に複数の受光部２によって検出される事態が確実に阻止されるため、波長が相違するＮ種類の被測定光Ｌの光量や波長の正確な測定を確実に実行することができる。
【００８１】
さらに、この光量測定装置１によれば、処理部８が、各受光部２Ｒ，２Ｇ，２Ｂからの「検出信号」に基づいて各受光部２に入射している各波長範囲Ｈｒ，Ｈｇ，Ｈｂ（測定対象波長範囲）内の波長の被測定光Ｌが光電変換部２３ｃに入射したときに光電変換部２３ｃから出力される検出信号Ｓｉｃに対応する検出信号データＤｃの「予測値」を演算し、光電変換部２３ｃから実際に出力された検出信号Ｓｉｃに対応する検出信号データＤｃの値と「予測値」とが相違するときに予め規定された「第２の処理」を実行することにより、「測定対象波長範囲」以外の波長の被測定光Ｌが光量測定装置１に入射しているか否かを確実に特定することができ、入射しているときに任意の処理（第２の処理：本例では、エラーメッセージの表示および測定処理の終了）を実行させることで、「測定対象波長範囲」以外の波長の被測定光Ｌが入射しているか否かを確実かつ容易に認識させることができる。
【００８２】
また、この光量測定装置１によれば、処理部８が、光電変換部２３ａからの検出信号Ｓｉａに対応する検出信号データＤａに基づいて特定される信号レベル、および光電変換部２３ｂからの検出信号Ｓｉｂに対応する検出信号データＤｂに基づいて特定される信号レベルのいずれか予め規定された一方に対する他方の比に基づいて被測定光Ｌの波長を特定すると共に、特定した波長と、検出信号データＤａ，Ｄｂに基づいて特定される両信号レベルのいずれか一方とに基づいて被測定光Ｌの光量を測定することにより、検出信号データＤａ，Ｄｂの双方に基づいて被測定光Ｌの光量を測定する構成と比較して、短時間で光量を正確に特定することができる。
【００８３】
さらに、この光量測定装置１によれば、処理部８が、受光センサ２０ａ，２０ｂのうち、特定した波長の被測定光Ｌの分光感度が高い一方から出力された「検出信号」の信号レベル（本例では、検出信号データＤａ，Ｄｂのいずれかに基づいて特定される信号レベル）に基づいて被測定光Ｌの光量を測定することにより、被測定光Ｌの光量を一層正確に測定することができる。
【００８４】
また、この光量測定装置１によれば、受光センサ２０ａの分光感度特性が長い波長の光ほど感度が高くなり、かつ受光センサ２０ｂの分光感度特性が短い波長の光ほど感度が高くなるように各受光部２０ａ，２０ｂを構成したことにより、各波長毎の被測定光Ｌについての受光センサ２０ａの感度と受光センサ２０ｂの感度との比が大きく相違する状態となるため、どのような波長の被測定光Ｌが入射しているかを高精度で測定することができる。
【００８５】
なお、「光量測定装置」の構成は、上記の光量測定装置１の構成に限定されない。例えば、各受光部２からの検出信号Ｓｉａ，Ｓｉｂに対応してＡ／Ｄ変換部５から出力される検出信号データＤａ，Ｄｂに基づき、光電変換部２３ｃからの検出信号Ｓｉｃに対応してＡ／Ｄ変換部５ｃから出力される検出信号データＤｃの値についての「予測値」を特定し、特定した「予測値」と、Ａ／Ｄ変換部５ｃから実際に出力される測定値データＤの値とが相違するときに、波長範囲Ｈｒ，Ｈｇ，Ｈｂ（測定対象波長範囲）以外の波長の被測定光Ｌが光量測定装置１に入射しているとして「第２の処理」を実行する構成を例に挙げて説明したが、各「測定対象波長範囲」以外の波長の被測定光Ｌが「光量測定装置」に入射しているか否かを特定する構成は、上記の光量測定装置１の構成に限定されない。
【００８６】
例えば、図４に示す光量測定装置１Ａは、上記の光量測定装置１における光電変換部２３ｃ、Ｉ／Ｖ変換部３ｃおよびＡ／Ｄ変換部５ｃに代えてポリクロメータ１０を備えて構成されている。なお、同図では、光量測定装置１の構成要素と同様の機能を有する構成要素については、同一の符号を付して図示すると共に、各受光部２Ｒ，２Ｇ，２Ｂの構成要素や、各Ｉ／Ｖ変換部３ａ，３ｂおよび切替えスイッチ４ｒ，４ｇ，４ｂについての図示を省略している。
【００８７】
この場合、ポリクロメータ１０は、「ポリクロメータ」の一例であって、処理部８の制御に従い、「測定対象波長範囲」としての波長範囲Ｈｒ，Ｈｇ，Ｈｂのうちで最も短い波長の波長範囲Ｈｂよりも短い波長λ１（「第１の波長」の一例：図３参照）から、「測定対象波長範囲」としての波長範囲Ｈｒ，Ｈｇ，Ｈｂのうちで最も長い波長の波長範囲Ｈｒよりも長い波長λ２（「第２の波長」の一例：図３参照）までの波長範囲Ｈ内の各波長の被測定光Ｌを対象として光量およびピーク光量波長を測定し、測定した光量および波長を特定可能な測定値データＤを処理部８に出力する。
【００８８】
この場合、「ポリクロメータ」としては、特定可能な光量の確度や波長の分解能が相違する各種の測定モジュールが存在するが、本例の光量測定装置１Ａでは、後述するように、上記の波長範囲Ｈｒ，Ｈｇ，Ｈｂ以外の波長の被測定光Ｌが光量測定装置１Ａに入射しているか否かを検出するためだけにポリクロメータ１０を使用するため、確度や分解能が低く、安価な「ポリクロメータ」をポリクロメータ１０として採用することで、光量測定装置１Ａの製造コストが高騰する事態を回避している。
【００８９】
この光量測定装置１Ａによる被測定光Ｌについての測定処理に際しては、まず、各受光部２やポリクロメータ１０に被測定光Ｌ（赤色光、緑色光および青色光）が入射するように光量測定装置１Ａを設置した後に、操作部６を操作して測定処理の開始を指示する。これに応じて、処理部８が測定処理を開始する。この際に、処理部８は、まず、ポリクロメータ１０を制御することにより、ポリクロメータ１０に入射している被測定光Ｌの光量およびその波長の測定処理（簡易測定処理）を開始させる。また、処理部８は、ポリクロメータ１０から出力される測定値データＤに基づき、前述した波長範囲Ｈｒ，Ｈｇ，Ｈｂ以外の波長であって予め規定された光量以上の被測定光Ｌがポリクロメータ１０に入射しているか否かを判別する。
【００９０】
この際に、例えば、被測定光Ｌを発している光源の不調等により、「測定対象波長範囲」としての波長範囲Ｈｒ，Ｈｇ，Ｈｂ以外の波長で規定光量を超える被測定光Ｌが入射していると判別したとき（本例では、図３に示す波長範囲Ｈｂｓ，Ｈ１，Ｈ２，Ｈｒｌ内の波長で規定光量を超える被測定光Ｌが測定されたとき）には、この想定外の波長の被測定光Ｌの入射に起因して正常な測定処理を実行することができないため、処理部８は、一例として、「規定された波長範囲を外れた波長の光が検出されました。測定処理を終了します。」とのエラーメッセージを表示部７に表示させて（「第３の処理」の一例）、被測定光Ｌについての測定処理を終了する。
【００９１】
一方、ポリクロメータ１０からの測定値データＤに基づく上記の測定の結果、波長範囲Ｈｒ，Ｈｇ，Ｈｂ以外の波長で規定光量を超える被測定光Ｌが入射していないと判別したときに、処理部８は、前述した光量測定装置１における被測定光Ｌの測定処理時と同様にして、各受光部２からの検出信号Ｓｉａ，Ｓｉｂに対応してＡ／Ｄ変換部５ｒ，５ｇ，５ｂから出力される測定値データＤａ，Ｄｂに基づき、被測定光Ｌにおける波長範囲Ｈｒ内の被測定光Ｌ（赤色光）の波長および光量、被測定光Ｌにおける波長範囲Ｈｇ内の被測定光Ｌ（緑色光）の波長および光量、並びに被測定光Ｌにおける波長範囲Ｈｂ内の被測定光Ｌ（青色光）の波長および光量をそれぞれ測定し、測定結果を処理部８に表示させる。
【００９２】
このように、この光量測定装置１Ａによれば、処理部８が、ポリクロメータ１０からの測定値データＤに基づき、波長範囲Ｈｒ，Ｈｇ，Ｈｂ（測定対象波長範囲）以外の波長で、かつ予め規定された光量以上の被測定光Ｌがポリクロメータ１０に入射しているか否かを判別し、そのような被測定光Ｌがポリクロメータ１０に入射しているときに予め規定された「第３の処理（本例では、エラーメッセージの表示および測定処理の終了）」を実行することにより、「測定対象波長範囲」以外の波長の被測定光Ｌが光量測定装置１Ａに入射しているか否かを確実に特定することができ、入射しているときに任意の処理（第３の処理：本例では、エラーメッセージの表示および測定処理の終了）を実行させることで、「測定対象波長範囲」以外の波長の被測定光Ｌが入射しているか否かを確実かつ容易に認識させることができる。
【００９３】
また、被測定光Ｌの光量の演算に先立って特定した波長に応じて、受光センサ２０ａ，２０ｂのうちの特定した波長の被測定光Ｌについての感度が高い一方から出力された検出信号Ｓｉａ，Ｓｉｂのいずれかに対応する検出信号データＤａ，Ｄｂのいずれかに基づいて光量を演算する構成を例に挙げて説明したが、このような構成に代えて、検出信号データＤａに基づいて演算される光量（「第１の検出信号の信号レベルに基づいて測定した被測定光の第１の光量」の一例）と、検出信号データＤｂに基づいて演算される光量（「第２の検出信号の信号レベルに基づいて測定した被測定光の第２の光量」の一例）との平均値を「被測定光Ｌの光量」として演算する構成を採用することもできる。このような構成を採用した光量測定装置１，１Ａによれば、検出信号Ｓｉａ，Ｓｉｂ（検出信号データＤａ，Ｄｂ）の値がノイズ等の影響によって実際の光量とは僅かに相違する値になったとしても、被測定光Ｌの光量を正確に測定することができる。
【００９４】
さらに、「入射許容波長範囲」としての波長範囲Ｈｒ，Ｈｇの間に「入射規制波長範囲」としての波長範囲Ｈ１を設けると共に、「入射許容波長範囲」としての波長範囲Ｈｇ，Ｈｒの間に「入射規制波長範囲」としての波長範囲Ｈ２を設けた構成（「入射許容波長範囲」が重ならないように「第１の光学フィルタ（光学フィルタ２１）」を構成した光量測定装置１，１Ａ）を例に挙げて説明したが、「光量測定装置」の構成はこれに限定されない。具体的には、一例として、前述した光量測定装置１，１Ａの各受光部２における光学フィルタ２１の光学特性を変更して各受光部２によって検出可能な被測定光Ｌの波長領域（入射許容波長領域）を連続させる（入射許容波長範囲の一部が重なるように光学フィルタ２１を構成する）ことにより、「第３の光電変換部」や「ポリクロメータ」を配設することなく、「測定対象波長領域」以外の波長の被測定光Ｌが「光量測定装置」に入射しているか否かを検出可能とすることができる。
【００９５】
このような構成の「光量測定装置」について、図５を参照しつつ具体的に説明する。なお、前述した光量測定装置１，１Ａの構成要素や、光量測定装置１，１Ａにおいて規定されている各波長領域と同様の波長領域については、同一の符号を付して重複する説明を省略する。この「光量測定装置」では、各受光部２の受光センサ２０ａ，２０ｂが光量測定装置１，１Ａにおける受光センサ２０ａ，２０ｂの光学フィルタ２２ａ，２２ｂと同じ光学特性の光学フィルタ２２ａ，２２ｂを備えてそれぞれ構成されると共に、光量測定装置１，１Ａにおける光学フィルタ２１とは光学特性（入射許容波長範囲）が相違する光学フィルタ２１がそれぞれ配設されている。
【００９６】
この場合、この「光量測定装置」における光学フィルタ２１は、各受光部２毎に予め規定された「入射許容波長範囲」内の波長の被測定光Ｌの受光センサ２０ａ，２０ｂに対する入射を許容しつつ、「入射許容波長範囲」よりも短い波長の「短波長側入射規制波長範囲」および「入射許容波長範囲」よりも長い波長の「長波長側入射規制波長範囲」の両「入射規制波長範囲」内の波長の被測定光Ｌの受光センサ２０ａ，２０ｂに対する入射を規制するように構成されている。
【００９７】
具体的には、この「光量測定装置」では、受光部２Ｒにおける受光センサ２０ａの分光感度特性（受光部２Ｒにおける光学フィルタ２１，２２ａの光学特性）が図５に一点鎖線Ｌｒａで示す特性となり、かつ受光部２Ｒにおける受光センサ２０ｂの分光感度特性（受光部２Ｒにおける光学フィルタ２１，２２ｂの光学特性）が同図に二点鎖線Ｌｒｂで示す特性となっている。また、この「光量測定装置」では、受光部２Ｇにおける受光センサ２０ａの分光感度特性（受光部２Ｇにおける光学フィルタ２１，２２ａの光学特性）が同図に一点鎖線Ｌｇａで示す特性となり、かつ受光部２Ｇにおける受光センサ２０ｂの分光感度特性（受光部２Ｇにおける光学フィルタ２１，２２ｂの光学特性）が同図に二点鎖線Ｌｇｂで示す特性となっている。さらに、この「光量測定装置」では、受光部２Ｂにおける受光センサ２０ａの分光感度特性（受光部２Ｂにおける光学フィルタ２１，２２ａの光学特性）が図５に一点鎖線Ｌｂａで示す特性となり、かつ受光部２Ｂにおける受光センサ２０ｂの分光感度特性（受光部２Ｂにおける光学フィルタ２１，２２ｂの光学特性）が同図に二点鎖線Ｌｂｂで示す特性となっている。
【００９８】
より具体的には、この「光量測定装置」では、図５に示すように、受光部２Ｒに対して「入射許容波長範囲」としての波長範囲Ｈｒｐが規定されると共に、波長範囲Ｈｒｐ内の波長の被測定光Ｌの受光センサ２０ａ，２０ｂに対する入射を許容しつつ、波長範囲Ｈｒｐよりも短い波長の波長範囲Ｈｒｓ（「短波長側入射規制波長範囲」の一例）および波長範囲Ｈｒｐよりも長い波長の波長範囲Ｈｒｌ（「長波長側入射規制波長範囲」の一例）の両波長範囲Ｈｒｓ，Ｈｒｌ内の波長の被測定光Ｌの受光センサ２０ａ，２０ｂに対する入射を規制するように受光部２Ｒの光学フィルタ２１が構成されている。
【００９９】
また、受光部２Ｇに対して「入射許容波長範囲」としての波長範囲Ｈｇｐが規定されると共に、波長範囲Ｈｇｐ内の波長の被測定光Ｌの受光センサ２０ａ，２０ｂに対する入射を許容しつつ、波長範囲Ｈｇｐよりも短い波長の波長範囲Ｈｇｓ（「短波長側入射規制波長範囲」の一例）および波長範囲Ｈｇｐよりも長い波長の波長範囲Ｈｇｌ（「長波長側入射規制波長範囲」の一例）の両波長範囲Ｈｇｓ，Ｈｇｌ内の波長の被測定光Ｌの受光センサ２０ａ，２０ｂに対する入射を規制するように受光部２Ｇの光学フィルタ２１が構成されている。
【０１００】
さらに、受光部２Ｂに対して「入射許容波長範囲」としての波長範囲Ｈｂｐが規定されると共に、波長範囲Ｈｂｐ内の波長の被測定光Ｌの受光センサ２０ａ，２０ｂに対する入射を許容しつつ、波長範囲Ｈｂｐよりも短い波長の波長範囲Ｈｂｓ（「短波長側入射規制波長範囲」の一例）および波長範囲Ｈｂｐよりも長い波長の波長範囲Ｈｂｌ（「長波長側入射規制波長範囲」の一例）の両波長範囲Ｈｂｓ，Ｈｂｌ内の波長の被測定光Ｌの受光センサ２０ａ，２０ｂに対する入射を規制するように受光部２Ｂの光学フィルタ２１が構成されている。
【０１０１】
これにより、この「光量測定装置」では、受光部２Ｂに対して規定された「入射許容波長範囲」としての波長範囲Ｈｂｐのなかで最も短い波長の波長λ１ａから、受光部２Ｒに対して規定された「入射許容波長範囲」としての波長範囲Ｈｒｐのなかで最も長い波長の波長λ２ａまでの波長範囲Ｈｐ内の各波長の被測定光Ｌを受光部２Ｒ，２Ｇ，２Ｂのいずれかによって検出することが可能となっている。なお、この「光量測定装置」では、受光部２Ｒに対して規定された「入射許容波長範囲」として波長範囲Ｈｒｐ内に赤色光についての「測定対象波長範囲」に相当する波長範囲Ｈｒが規定され、受光部２Ｇに対して規定された「入射許容波長範囲」として波長範囲Ｈｇｐ内に緑色光についての「測定対象波長範囲」に相当する波長範囲Ｈｇが規定され、かつ受光部２Ｂに対して規定された「入射許容波長範囲」として波長範囲Ｈｂｐ内に青色光についての「測定対象波長範囲」に相当する波長範囲Ｈｂが規定されている（「入射許容波長範囲内に測定対象波長範囲がそれぞれ規定され」との構成の他の一例であって、「入射許容波長範囲」が「測定対象波長範囲」よりも広い構成の例）。
【０１０２】
また、この「光量測定装置」では、前述した光量測定装置１，１Ａと同様にして、受光部２Ｇ，２Ｂ（「他の第１の光学フィルタが配設された受光部」の一例）に対して規定されている（Ｎ−１）＝２個の波長範囲Ｈｇ，Ｈｂ（測定対象波長範囲）が波長範囲Ｈｒｓ（入射規制波長範囲）に含まれるように受光部２Ｒの光学フィルタ２１が構成され、受光部２Ｒ，２Ｂ（「他の第１の光学フィルタが配設された受光部」の一例）に対して規定されている（Ｎ−１）＝２個の波長範囲Ｈｒ，Ｈｂ（測定対象波長範囲）が波長範囲Ｈｇｓ，Ｈｇｌ（入射規制波長範囲）に含まれるように受光部２Ｇの光学フィルタ２１が構成され、かつ受光部２Ｒ，２Ｇ（「他の第１の光学フィルタが配設された受光部」の一例）に対して規定されている（Ｎ−１）＝２個の波長範囲Ｈｒ，Ｈｇ（測定対象波長範囲）が波長範囲Ｈｂｌ（入射規制波長範囲）に含まれるように受光部２Ｂの光学フィルタ２１が構成されている。
【０１０３】
また、この「光量測定装置」では、各波長範囲Ｈｒ，Ｈｇ，Ｈｂ（測定対象波長範囲）のうちの波長が短い順でＭ＝１番目の波長範囲Ｈｂが規定された受光部２Ｂの波長範囲Ｈｂｐ（入射許容波長範囲）の一部と、各波長範囲Ｈｒ，Ｈｇ，Ｈｂ（測定対象波長範囲）のうちの波長が短い順で（Ｍ＋１）＝２番目の波長範囲Ｈｇが規定された受光部２Ｇの波長範囲Ｈｇｐ（入射許容波長範囲）の一部とが重なるように受光部２Ｂ，２Ｇの光学フィルタ２１がそれぞれ構成されている。この結果、この「光量測定装置」では、受光部２Ｂに対して規定された「測定対象波長範囲」としての波長範囲Ｈｂと、受光部２Ｇに対して規定された「測定対象波長範囲」としての波長範囲Ｈｇとの間の波長範囲ＨＡ内の波長の被測定光Ｌについて、受光部２Ｂ，２Ｇのいずれかによって波長および光量を測定することが可能となっている。
【０１０４】
さらに、この「光量測定装置」では、各波長範囲Ｈｒ，Ｈｇ，Ｈｂ（測定対象波長範囲）のうちの波長が短い順でＭ＝２番目の波長範囲Ｈｇが規定された受光部２Ｇの波長範囲Ｈｇｐ（入射許容波長範囲）の一部と、各波長範囲Ｈｒ，Ｈｇ，Ｈｂ（測定対象波長範囲）のうちの波長が短い順で（Ｍ＋１）＝３番目の波長範囲Ｈｒが規定された受光部２Ｒの波長範囲Ｈｒｐ（入射許容波長範囲）の一部とが重なるように、受光部２Ｇ，２Ｒの光学フィルタ２１がそれぞれ構成されている。この結果、この「光量測定装置」では、受光部２Ｇに対して規定された「測定対象波長範囲」としての波長範囲Ｈｇと、受光部２Ｒに対して規定された「測定対象波長範囲」としての波長範囲Ｈｒとの間の波長範囲ＨＢ内の波長の被測定光Ｌについて、受光部２Ｇ，２Ｒのいずれかによって波長および光量を測定することが可能となっている。
【０１０５】
この「光量測定装置」による測定処理時には、一例として、前述した光量測定装置１による被測定光Ｌの測定処理と同様にして、Ａ／Ｄ変換部５ｒ，５ｇ，５ｂから出力される検出信号データＤａ，Ｄｂに基づき、各受光部２に入射している被測定光Ｌの波長および光量が特定（演算）される。
【０１０６】
この場合、受光部２Ｒに対して規定された「入射許容波長範囲」としての波長範囲Ｈｒｐ内波長の被測定光Ｌ（「測定対象波長範囲」としての波長範囲Ｈｒ内の波長の被測定光Ｌ、または、「入射許容波長範囲」内であって「測定対象波長範囲」ではない波長範囲Ｈｒ１，Ｈｒ２のいずれかの範囲内の波長の被測定光Ｌ）が入射しているときには、受光部２Ｒから出力される検出信号Ｓｉａ，Ｓｉｂに対応してＡ／Ｄ変換部５ｒから出力される検出信号データＤａ，Ｄｂに基づき、その被測定光Ｌの波長が特定されると共に、検出信号データＤａ，Ｄｂのいずれかに基づき、その被測定光Ｌの光量が特定される。
【０１０７】
また、受光部２Ｇに対して規定された「入射許容波長範囲」としての波長範囲Ｈｇｐ内波長の被測定光Ｌ（「測定対象波長範囲」としての波長範囲Ｈｇ内の波長の被測定光Ｌ、または、「入射許容波長範囲」内であって「測定対象波長範囲」ではない波長範囲Ｈｇ１，Ｈｇ２のいずれかの範囲内の波長の被測定光Ｌ）が入射しているときには、受光部２Ｇから出力される検出信号Ｓｉａ，Ｓｉｂに対応してＡ／Ｄ変換部５ｇから出力される検出信号データＤａ，Ｄｂに基づき、その被測定光Ｌの波長が特定されると共に、検出信号データＤａ，Ｄｂのいずれかに基づき、その被測定光Ｌの光量が特定される。
【０１０８】
さらに、受光部２Ｂに対して規定された「入射許容波長範囲」としての波長範囲Ｈｂｐ内波長の被測定光Ｌ（「測定対象波長範囲」としての波長範囲Ｈｂ内の波長の被測定光Ｌ、または、「入射許容波長範囲」内であって「測定対象波長範囲」ではない波長範囲Ｈｂ１，Ｈｂ２のいずれかの範囲内の波長の被測定光Ｌ）が入射しているときには、受光部２Ｂから出力される検出信号Ｓｉａ，Ｓｉｂに対応してＡ／Ｄ変換部５ｂから出力される検出信号データＤａ，Ｄｂに基づき、その被測定光Ｌの波長が特定されると共に、検出信号データＤａ，Ｄｂのいずれかに基づき、その被測定光Ｌの光量が特定される。
【０１０９】
この際に、前述した波長範囲Ｈｐ内の各波長の被測定光Ｌを受光部２Ｒ，２Ｇ，２Ｂのいずれかによって検出することができるように構成されているこの「光量測定装置」では、「測定対象波長範囲」としての波長範囲Ｈｒ，Ｈｇ，Ｈｂ以外の波長（波長範囲Ｈｒ１，Ｈｒ２，Ｈｇ１，Ｈｇ２，Ｈｂ１，Ｈｂ２のいずれかの範囲内の波長）で予め規定された光量以上の被測定光Ｌが測定されたときに、処理部８が、想定外の波長の被測定光Ｌが光量測定装置１に入射しているため、一例として、「規定された波長範囲を外れた波長の光が検出されました。測定処理を終了します。」とのエラーメッセージを表示部７に表示させて（「第１の処理」の一例）、被測定光Ｌについての測定処理を終了する。一方、波長範囲Ｈｒ，Ｈｇ，Ｈｂのいずれかの範囲内の波長の被測定光Ｌだけが測定されたときに、処理部８は、測定した被測定光Ｌ（赤色光、緑色光および青色光）の光量、および波長を表示部７に表示させる。これにより、被測定光Ｌ（赤色光、緑色光および青色光）についての一連の測定処理が完了する。
【０１１０】
このように、この「光量測定装置」では、各光学フィルタ２１が、波長が短い順でＭ番目の「測定対象波長範囲」が規定された受光部２の「入射許容波長範囲」の一部と、波長が短い順で（Ｍ＋１）番目の「測定対象波長範囲」が規定された受光部２の「入射許容波長範囲」の一部とが重なるように各受光部２毎の「入射規制波長範囲」がそれぞれ規定され、処理部８が、検出信号データＤａ，Ｄｂに基づいて被測定光Ｌの波長および光量を測定し、予め規定された光量以上で各波長範囲Ｈｒ，Ｈｇ，Ｈｂ（測定対象波長範囲）以外の波長の被測定光Ｌが測定されたときに予め規定された「第１の処理（本例では、エラーメッセージの表示および測定処理の終了）」を実行する。
【０１１１】
したがって、請求項３記載の光量測定装置によれば、「測定対象波長範囲」以外の波長の被測定光Ｌが「光量測定装置」に入射しているか否かを確実に特定することができ、入射しているときに任意の処理（第１の処理：本例では、エラーメッセージの表示および測定処理の終了）を実行させることで、「測定対象波長範囲」以外の波長の被測定光Ｌが入射しているか否かを確実かつ容易に認識させることができる。
【０１１２】
また、「第１の受光センサ」としての受光センサ２０ａの分光感度特性が長い波長の光ほど感度が高くなるように光電変換部２３ａに対する被測定光Ｌの入射量を制限する光学フィルタ２２ａ、および「第２の受光センサ」としての受光センサ２０ｂの分光感度特性が短い波長の光ほど感度が高くなるように光電変換部２３ｂに対する被測定光Ｌの入射量を制限する光学フィルタ２２ｂを備えた構成を例に挙げて説明したが、「第２の光学フィルタ」の光学特性はこれに限定されない。
【０１１３】
例えば、「第２の光学フィルタ」の１つに相当する光学フィルタ２２ａについては、受光センサ２０ａの分光感度特性が「波長λｒ，λｇ，λｂよりも短い波長の波長範囲内においては波長が長くなるほど感度が高くなり、かつ波長λｒ，λｇ，λｂよりも長い波長の波長範囲内においては一定の感度となる」との条件を満たす特性となるように、光電変換部２３ａに対する被測定光Ｌの入射量を制限するように構成すると共に、「第２の光学フィルタ」の他の１つに相当する光学フィルタ２２ｂについては、受光センサ２０ｂの分光感度特性が「波長λｒ，λｇ，λｂよりも長い波長の波長範囲内においては波長が短くなるほど感度が高くなり、かつ波長λｒ，λｇ，λｂよりも短い波長の波長範囲内においては一定の感度となる」との条件を満たす特性となるように、光電変換部２３ｂに対する被測定光Ｌの入射量を制限するように構成することができる。
【０１１４】
また、「第２の光学フィルタ」の１つに相当する光学フィルタ２２ａについては、受光センサ２０ａの分光感度特性が「波長λｒ，λｇ，λｂよりも短い波長の波長範囲内においては一定の感度となり、かつ波長λｒ，λｇ，λｂよりも長い波長の波長範囲内においては、波長が長くなるほど感度が高くなる」との条件を満たす特性となるように、光電変換部２３ａに対する被測定光Ｌの入射量を制限するように構成すると共に、「第２の光学フィルタ」の他の１つに相当する光学フィルタ２２ｂについては、受光センサ２０ｂの分光感度特性が「波長λｒ，λｇ，λｂよりも長い波長の波長範囲内においては一定の感度となり、かつ波長λｒ，λｇ，λｂよりも短い波長の波長範囲内においては、波長が短くなるほど感度が高くなる」との条件を満たす特性となるように、光電変換部２３ａに対する被測定光Ｌの入射量を制限するように構成することもできる。
【０１１５】
さらに、「第１の受光センサ」に相当する受光センサ２０ａ、および「第２の受光センサ」に相当する受光センサ２０ｂの双方に各光電変換部２３ａ，２３ｂに対する被測定光Ｌの入射量を制限する「第２の光学フィルタ」としての光学フィルタ２２ａ，２２ｂをそれぞれ配設した構成を例に挙げて説明したが、「各受光部毎の両分光感度の比が入射許容波長範囲内の各波長の被測定光毎に相違する」との事項を満たし得る構成は、上記の例示のような構成に限定されない。
【０１１６】
具体的には、「第１の受光センサ」および「第２の受光センサ」のいずれか一方だけに「第２の光学フィルタ」を配設して両「受光センサ」の分光感度の比を「入射許容波長範囲」内の各波長の被測定光毎に相違させる構成（上記の構成の例における光学フィルタ２２ａ，２２ｂのいずれか一方が存在しない構成）を採用することができる（図示せず）。このような構成を採用した場合においても、例えば同じ製品で構成した「光電変換部」を備えた両「受光センサ」のうちの「第２の光学フィルタ」が配設された「受光センサ」の分光感度と「第２の光学フィルタ」が配設されていない「受光センサ」の分光感度とが「入射許容波長範囲」内の各波長の被測定光毎に相違する状態とすることにより、両「受光センサ」の双方が「第２の光学フィルタ」を有している構成と同様にして、どのような波長の「被測定光」が入射しているかを高精度で測定することができるとの効果を奏することができる。
【０１１７】
また、単体での分光感度特性が互いに相違する「光電変換部」を採用して「第１の受光センサ」および「第２の受光センサ」をそれぞれ構成することで、両「受光センサ」の双方が「第２の光学フィルタ」を有していない構成とすることもできる。このような構成を採用した場合においても、一方の「受光センサ」の分光感度と他方の「受光センサ」の分光感度とが「入射許容波長範囲」内の各波長の被測定光毎に相違する状態となるような「光電変換部」を採用することにより、両「受光センサ」の双方が「第２の光学フィルタ」を有している構成や、両「受光センサ」のうちの一方だけが「第２の光学フィルタ」を有している構成と同様にして、どのような波長の「被測定光」が入射しているかを高精度で測定することができるとの効果を奏することができる。
【０１１８】
さらに、Ａ／Ｄ変換部５ｒ，５ｇ，５ｂに対してＩ／Ｖ変換部３ａ，３ｂのいずれか一方を選択的に接続する切替えスイッチ４ｒ，４ｇ，４ｂを備えた構成を例に挙げて説明したが、このような構成に代えて、Ｉ／Ｖ変換部３ａから出力される検出信号ＳｖａをＡ／Ｄ変換するＡ／Ｄ変換部５と、Ｉ／Ｖ変換部３ｂから出力される検出信号ＳｖｂをＡ／Ｄ変換するＡ／Ｄ変換部５とを別個に設けて両検出信号Ｓｖａ，Ｓｖｂを並列的に処理する構成を採用することもできる。この場合、この２つのＡ／Ｄ変換部５の出力を切り替えて処理部８にそれぞれ出力する構成を採用してもよい。加えて、赤色光、緑色光および青色光のＮ＝３種類の被測定光Ｌを測定対象として光量および波長を測定する構成を例に挙げて説明したが、「Ｎ」の数（被測定光の種類の数）は「３」に限定されず、Ｎ＝２種類の「被測定光」を測定対象としたり、Ｎ＝４種類以上の「被測定光」を測定対象としたりすることができる。
【符号の説明】
【０１１９】
１，１Ａ  光量測定装置
２Ｒ，２Ｇ，２Ｂ  受光部
３ａ〜３ｃ  Ｉ／Ｖ変換部
４ｒ，４ｇ，４ｂ  切替えスイッチ
５ｒ，５ｇ，５ｂ，５ｃ  Ａ／Ｄ変換部
６  操作部
７  表示部
８  処理部
９  記憶部
１０  ポリクロメータ
２０ａ，２０ｂ  受光センサ
２１，２２ａ，２２ｂ  光学フィルタ
２３ａ〜２３ｃ  光電変換部
Ｄ  測定値データ
Ｄａ〜Ｄｃ  検出信号データ
Ｈ１，Ｈ２，ＨＡ，ＨＢ，Ｈｒ，Ｈｇ，Ｈｂ，Ｈｒｐ，Ｈｇｐ，Ｈｂｐ，Ｈｒ１，Ｈｒ２，Ｈｇ１，Ｈｇ２，Ｈｂ１，Ｈｂ２，Ｈｒｓ，Ｈｒｌ，Ｈｇｓ，Ｈｇｌ，Ｈｂｓ，Ｈｂｌ，Ｈｐ  波長範囲
Ｌ  被測定光
Ｓｉａ〜Ｓｉｃ，Ｓｖａ〜Ｓｖｃ  検出信号
λ１，λ１ａ，λ２，λ２ａ，λｒ，λｒｓ，λｒｌ，λｇ，λｇｓ，λｇｌ，λｂ，λｂｓ，λｂｌ  波長
【図１】
0006498479.tif 000002
【図２】
0006498479.tif 000003
【図３】
0006498479.tif 000004
【図４】
0006498479.tif 000005
【図５】
0006498479.tif 000006
【図６】
0006498479.tif 000007